(57)【要約】  本開示の実施形態は、位相追跡参照信号（ＰＴＲＳ：Phase Tracking Reference Signal）構成のための方法及び装置に関する。例示的な実施形態では、ネットワークデバイスで実施される方法が提供される。本方法によれば、ＰＴＲＳを送信するための第１の構成が決定される。第１の構成は、時間領域におけるＰＴＲＳの第１の密度、周波数領域におけるＰＴＲＳの第２の密度、時間領域におけるＰＴＲＳのための第１のリソース割り当て、及び周波数領域においてＰＴＲＳのための第２のリソース割り当て、のうちの少なくとも１つを示す。第１の構成についての情報は、端末デバイスに送信される。【選択図】図３
2021510241.tif 000002
【特許請求の範囲】
【請求項１】
ネットワークデバイスにおいて実施される方法であって、
位相追跡参照信号（ＰＴＲＳ：Phase Tracking Reference Signal）を送信するための第１の構成であって、時間領域における前記ＰＴＲＳの第１の密度、周波数領域における前記ＰＴＲＳの第２の密度、時間領域における前記ＰＴＲＳのための第１のリソース割り当て、及び周波数領域における前記ＰＴＲＳのための第２のリソース割り当て、のうちの少なくとも１つを示す前記第１の構成を決定することと、
前記第１の構成に関する情報を端末デバイスに送信することと、を含む方法。
【請求項２】
前記ＰＴＲＳは、少なくとも１つの復調参照信号（ＤＭＲＳ：Demodulation Reference Signal）と関連付けられ、前記第１の構成を決定することは、
前記少なくとも１つのＤＭＲＳを送信するための所定の第２の構成に基づいて、前記第１の構成を決定することを含む、請求項１に記載の方法。
【請求項３】
前記少なくとも１つのＤＭＲＳは、フロントローディングされたＤＭＲＳと、いくつかの追加のＤＭＲＳとを含み、前記第１の構成を決定することは、
追加のＤＭＲＳの数、前記フロントローディングされたＤＭＲＳを送信するためのシンボルの数、制御チャネル送信のためのシンボルの数、ＤＭＲＳポートの数、ＤＭＲＳポートのグループの数、周波数範囲、及びサブキャリア間隔値のうちの少なくとも１つに基づいて、前記第１の密度のための候補密度のセットを決定することと、
候補密度の前記セットから前記第１の密度を決定することと、を含む、請求項２に記載の方法。
【請求項４】
前記第１の構成を決定することは、
シンボルの所定のセット、前記所定の第２の構成及び前記第１の密度に基づいて、前記第１のリソース割り当てを決定することを含み、前記第１のリソース割り当ては、前記ＰＴＲＳを送信するためのシンボルの前記所定のセットの少なくとも一部を示す、請求項３に記載の方法。
【請求項５】
前記第１の構成を決定することは、
帯域幅に基づいて、周波数領域における前記ＰＴＲＳの前記第２の密度を決定することを含む、請求項１に記載の方法。
【請求項６】
前記帯域幅は、リソースブロック（ＲＢ：resource block）のセットに対応し、前記第１の構成を決定することは、
前記ＰＴＲＳに関連付けられたＲＢの前記セット内のＲＢオフセットを決定することと、
周波数領域における前記ＰＴＲＳの前記第２の密度、ＲＢの前記セット、前記ＲＢオフセット、及びリソース割り当ての所定のタイプに基づいて、前記第２のリソース割り当てを決定することと、を含み、前記第２のリソース割り当ては、前記ＰＴＲＳを送信するためのＲＢの前記セットの少なくとも一部を示す、請求項５に記載の方法。
【請求項７】
前記第１の構成を決定することは、
シンボルの所定のセットを異なる領域に分割することと、
前記異なる領域に基づいて前記第２のリソース割り当てを決定することと、を含み、前記第２のリソース割り当ては、前記異なる領域において前記ＰＴＲＳを送信するためのそれぞれのＲＢを示す、請求項１に記載の方法。
【請求項８】
ＲＢの前記セットの前記少なくとも一部は、少なくとも１つのＲＢを含み、前記少なくとも１つのＲＢは、複数のリソースエレメント（ＲＥ：resource element）を含み、前記第２のリソース割り当てを決定することは、
前記ＰＴＲＳに関連付けられた前記少なくとも１つのＲＢ内のＲＥオフセットを決定することと、
前記複数のＲＥ及び前記ＲＥオフセットに基づいて、前記第２のリソース割り当てを決定することと、を含み、前記第２のリソース割り当ては、前記ＰＴＲＳを送信するための前記複数のＲＥの少なくとも一部をさらに示す、請求項６に記載の方法。
【請求項９】
前記所定の第２の構成は、前記少なくとも１つのＤＭＲＳのタイプ及び前記少なくとも１つのＤＭＲＳを送信するためのＤＭＲＳポートのグループを示し、前記第１の構成を決定することは、
前記ＤＭＲＳの前記タイプ及びＤＭＲＳポートの前記グループに基づいて、前記第２のリソース割り当てを決定することを含む、請求項２に記載の方法。
【請求項１０】
前記第１の構成についての前記情報を送信することは、
前記第１の構成及び前記所定の第２の構成の間の関連付けを示す前記情報を送信することを含む、請求項２に記載の方法。
【請求項１１】
端末デバイスにおいて実施される方法であって、
ネットワークデバイスから、位相追跡参照信号（ＰＴＲＳ：Phase Tracking Reference Signal）を送信するための第１の構成についての情報を受信することと、
少なくとも、前記情報に基づいて、前記第１の構成を決定することと、を含み、前記第１の構成は、時間領域における前記ＰＴＲＳの第１の密度、周波数領域における前記ＰＴＲＳの第２の密度、時間領域における前記ＰＴＲＳのための第１のリソース割り当て、及び周波数領域における前記ＰＴＲＳのための第２のリソース割り当て、のうちの少なくとも１つを示す、方法。
【請求項１２】
前記ＰＴＲＳは、少なくとも１つの復調参照信号（ＤＭＲＳ：Demodulation Reference Signal）に関連付けられており、前記情報は、前記第１の構成と、前記少なくとも１つのＤＭＲＳを送信するための所定の第２の構成との間の関連付けを示し、前記第１の構成を決定することは、
前記情報及び前記所定の第２の構成に基づいて、前記第１の構成を決定することを含む、請求項１１に記載の方法。
【請求項１３】
ネットワークデバイスであって、
プロセッサと、
前記プロセッサに結合され、前記プロセッサにより実行された場合、前記ネットワークデバイスに動作を実行させる命令を格納するメモリと、を備え、前記動作は、
位相追跡参照信号（ＰＴＲＳ：Phase Tracking Reference Signal）を送信するための第１の構成であって、時間領域における前記ＰＴＲＳの第１の密度、周波数領域における前記ＰＴＲＳの第２の密度、時間領域における前記ＰＴＲＳのための第１のリソース割り当て、及び前記周波数領域における前記ＰＴＲＳのための第２のリソース割り当て、のうちの少なくとも１つを示す前記第１の構成を決定することと、
前記第１の構成についての情報を端末デバイスに送信することと、を含む、ネットワークデバイス。
【請求項１４】
前記ＰＴＲＳは、少なくとも１つの復調参照信号（ＤＭＲＳ：Demodulation Reference Signal）に関連付けられており、前記第１の構成を決定することは、
前記少なくとも１つのＤＭＲＳを送信するための所定の第２の構成に基づいて、前記第１の構成を決定することを含む、請求項１３に記載のネットワークデバイス。
【請求項１５】
前記少なくとも１つのＤＭＲＳは、フロントローディングされたＤＭＲＳと、いくつかの追加のＤＭＲＳとを含み、前記第１の構成を決定することは、
追加のＤＭＲＳの数、前記フロントローディングされたＤＭＲＳを送信するためのシンボルの数、制御チャネル送信のためのシンボルの数、ＤＭＲＳポートの数、ＤＭＲＳポートのグループの数、周波数範囲、及びサブキャリア間隔値のうちの少なくとも１つに基づいて、前記第１の密度のための候補密度のセットを決定することと、
候補密度の前記セットから前記第１の密度を決定することと、を含む、請求項１４に記載のネットワークデバイス。
【請求項１６】
前記第１の構成を決定することは、
シンボルの所定のセット、前記所定の第２の構成、及び前記第１の密度に基づいて、前記第１のリソース割り当てを決定することを含み、前記第１のリソース割り当ては、前記ＰＴＲＳを送信するためのシンボルの前記所定のセットの少なくとも一部を示す、請求項１５に記載のネットワークデバイス。
【請求項１７】
前記第１の構成を決定することは、
帯域幅に基づいて、周波数領域における前記ＰＴＲＳの前記第２の密度を決定することを含む、請求項１２に記載のネットワークデバイス。
【請求項１８】
前記帯域幅は、リソースブロック（ＲＢ：resource block）のセットに対応し、前記第１の構成を決定することは、
前記ＰＴＲＳに関連付けられたＲＢの前記セット内のＲＢオフセットを決定することと、
周波数領域における前記ＰＴＲＳの前記第２の密度、ＲＢの前記セット、前記ＲＢオフセット及びリソース割り当ての所定のタイプに基づいて、前記第２のリソース割り当てを決定することと、を含み、前記第２のリソース割り当ては、前記ＰＴＲＳを送信するためのＲＢの前記セットの少なくとも一部を示す、請求項１７に記載のネットワークデバイス。
【請求項１９】
前記第１の構成を決定することは、
シンボルの所定のセットを異なる領域に分割することと、
前記異なる領域に基づいて、前記第２のリソース割り当てを決定することと、を含み、前記第２のリソース割り当ては、前記異なる領域における前記ＰＴＲＳを送信するためのそれぞれのＲＢを示す、請求項１３に記載のネットワークデバイス。
【請求項２０】
ＲＢの前記セットの前記少なくとも一部は、少なくとも１つのＲＢを含み、前記少なくとも１つのＲＢは、複数のリソースエレメント（ＲＥ：resource element）を含み、前記第２のリソース割り当てを決定することは、
前記ＰＴＲＳに関連付けられた前記少なくとも１つのＲＢ内のＲＥオフセットを決定することと、
前記複数のＲＥ及び前記ＲＥオフセットに基づいて、前記第２のリソース割り当てを決定することと、を含み、前記第２のリソース割り当ては、前記ＰＴＲＳを送信するための前記複数のＲＥの少なくとも一部をさらに示す、請求項１８に記載のネットワークデバイス。
【請求項２１】
前記所定の第２の構成は、前記少なくとも１つのＤＭＲＳのタイプ及び前記少なくとも１つのＤＭＲＳを送信するためのＤＭＲＳポートのグループを示し、前記第１の構成を決定することは、
前記ＤＭＲＳの前記タイプ及びＤＭＲＳポートの前記グループに基づいて、前記第２のリソース割り当てを決定することを含む、請求項１４に記載のネットワークデバイス。
【請求項２２】
前記第１の構成についての前記情報を送信することは、
前記第１の構成及び前記所定の第２の構成を示す前記情報を送信することを含む、請求項１４に記載のネットワークデバイス。
【請求項２３】
端末デバイスであって、
プロセッサと、
前記プロセッサに結合され、前記プロセッサにより実行された場合、前記端末デバイスに動作を実行させる命令を格納するメモリと、を備え、前記動作は、
位相追跡参照信号（ＰＴＲＳ：Phase Tracking Reference Signal）を送信するための第１の構成についての情報をネットワークデバイスから受信することと、
少なくとも、前記情報に基づいて、前記第１の構成を決定することと、を含み、前記第１の構成は、時間領域における前記ＰＴＲＳの第１の密度、周波数領域における前記ＰＴＲＳの第２の密度、時間領域における前記ＰＴＲＳのための第１のリソース割り当て、及び周波数領域における前記ＰＴＲＳのための第２のリソース割り当てのうちの少なくとも１つを示す、端末デバイス。
【請求項２４】
前記ＰＴＲＳは、少なくとも１つの復調参照信号（ＤＭＲＳ：Demodulation Reference Signal）に関連付けられており、前記情報は、前記第１の構成と、前記少なくとも１つのＤＭＲＳを送信するための所定の第２の構成との間の関連付けを示し、前記第１の構成を決定することは、
前記情報及び前記所定の第２の構成に基づいて、前記第１の構成を決定することを含む、請求項２３に記載の端末デバイス。
【請求項２５】
少なくとも１つのプロセッサにおいて実行された場合、前記少なくとも１つのプロセッサに、請求項１〜１０のいずれか１項に記載の方法を実行させる命令が格納されたコンピュータ可読媒体。
【請求項２６】
少なくとも１つのプロセッサにおいて実行された場合、前記少なくとも１つのプロセッサに請求項１１〜１２のいずれか１項に記載の方法を実行させる命令が格納されたコンピュータ可読媒体。
【発明の詳細な説明】
【技術分野】
【０００１】
本開示の実施形態は、一般に、電気通信の分野に関し、特に、位相追跡参照信号（ＰＴＲＳ：Phase tracking Reference Signal）構成のための方法および装置に関する。
【背景技術】
【０００２】
通信技術の発展により、例えば、一般に高いデータレートを必要とする拡張モバイルブロードバンド（ｅＭＢＢ：enhanced mobile broadband）、典型的に長いバッテリ寿命を必要とする大規模なマシンタイプコミュニケーション（ｍＭＴＣ：massive machine type communication）、超信頼性及び低遅延通信（ＵＲＬＬＣ：ultra-reliable and low latency communication）等、複数のタイプのサービス又はトラフィックが提案されている。一方、マルチアンテナ方式、ビーム管理、参照信号送信等がニューレディオアクセス（ＮＲ：new radio access）のために検討されている。
【０００３】
ＮＲでは、位相ノイズの補償を可能にするために、ＰＴＲＳが導入されている。一般に、キャリア周波数が高くなると位相ノイズも増加するため、ＰＴＲＳは、高周波数帯域で動作する無線ネットワークの位相ノイズを除去するために使用できる。ＯＦＤＭベースのシステムの場合、ＰＴＲＳポートを復調参照信号（ＤＭＲＳ：Demodulation Reference Signal）ポートに関連付けることができ、システム内の端末デバイスは、ＤＭＲＳポート及びＰＴＲＳポートに対して同じプリコーディングを仮定することができることが合意されている。さらに、フロントローディングされたＤＭＲＳ（front-loaded DMRS）は、高速デコーディングのためにサポートされており、フロントローディングされたＤＭＲＳに加えて、追加のＤＭＲＳ（additional DMRS）が、高速／高ドップラーシナリオのためにサポートされている。
【０００４】
現在、時間及び周波数領域におけるＰＴＲＳマッピングパターンが検討されているが、詳細なパターンは、未だ設計されていない。例えば、時間領域におけるＰＴＲＳ密度は、スケジューリングされる変調及びコーディング方式（ＭＣＳ：Modulation and Coding Scheme）に関連付けることができ、周波数領域におけるＰＴＲＳ密度は、スケジューリングされた帯域幅に関連付けることができる。しかし、時間領域におけるＰＴＲＳ密度は、追加のＤＭＲＳの数に関連してもよい。つまり、時間領域におけるいくつかのＰＴＲＳマッピングパターンは、必要でない可能性がある。さらに、制限なしで、周波数領域におけるＰＴＲＳマッピングパターンは、干渉及び性能損失を引き起こし得る。この場合、オーバヘッド及び干渉を減らすために、ＰＴＲＳ構成を制限するスキームを検討する必要がある。
【発明の概要】
【０００５】
一般に、本開示の例示的な実施形態は、ＰＴＲＳ構成のための方法及び装置を提供する。
【０００６】
第１の態様では、ネットワークデバイスにおいて実施される方法を提供する。本方法によれば、位相追跡参照信号（ＰＴＲＳ：Phase Tracking Reference Signal）のための第１の構成が決定される。前記第１の構成は、少なくとも以下のことを示す：時間領域における前記ＰＴＲＳの第１の密度、周波数領域における前記ＰＴＲＳの第２の密度、時間領域における前記ＰＴＲＳのための第１のリソース割り当て、及び周波数領域における前記ＰＴＲＳのための第２のリソース割り当て。前記第１の構成についての情報は、端末デバイスに送信される。
【０００７】
第２の態様では、端末デバイスにおいて実施される方法を提供する。本方法によれば、位相追跡参照信号（ＰＴＲＳ：Phase Tracking Reference Signal）を送信するための第１の構成に関する情報はネットワークデバイスから受信される。前記第１の構成は、少なくとも前記情報に基づいて決定される。前記第１の構成は、以下のうち、少なくとも１つを示す：時間領域における前記ＰＴＲＳの第１の密度、周波数領域における前記ＰＴＲＳの第２の密度、時間領域における前記ＰＴＲＳのための第１のリソース割り当て、及び周波数領域における前記ＰＴＲＳのための第２のリソース割り当て。
【０００８】
第３の態様では、ネットワークデバイスが提供される。前記ネットワークデバイスは、プロセッサと、前記プロセッサに結合されたメモリとを備える。前記メモリは、前記プロセッサに実行される場合、前記ネットワークデバイスに動作を実行させる命令を格納する。前記動作は、位相追跡参照信号（ＰＴＲＳ：Phase Tracking Reference Signal）を送信するための第１の構成であって、時間領域における前記ＰＴＲＳの第１の密度、周波数領域における前記ＰＴＲＳの第２の密度、時間領域における前記ＰＴＲＳのための第１のリソース割り当て、及び周波数領域における前記ＰＴＲＳのための第２のリソース割り当てのうちの少なくとも１つを示す前記第１の構成を決定することと、前記第１の構成についての情報を端末デバイスに送信することと、を含む。
【０００９】
第４の態様では、端末デバイスを提供する。前記端末デバイスは、プロセッサと、前記プロセッサに結合されたメモリとを備える。前記メモリは、前記プロセッサにより実行された場合に、前記端末デバイスに動作を実行させる命令を格納する。前記動作は、位相追跡参照信号（ＰＴＲＳ：Phase Tracking Reference Signal）を送信するための第１の構成についての情報をネットワークデバイスから受信することと、少なくとも、前記情報に基づいて、前記第１の構成を決定することとを含み、前記第１の構成は、時間領域における前記ＰＴＲＳの第１の密度、周波数領域における前記ＰＴＲＳの第２の密度、時間領域における前記ＰＴＲＳのための第１のリソース割り当て、及び周波数領域における前記ＰＴＲＳのための第２のリソース割り当てのうちの少なくとも１つを示す。
【００１０】
第５の態様では、命令が格納されたコンピュータ可読媒体が提供される。前記命令は、少なくとも１つのプロセッサに実行される場合、前記少なくとも１つのプロセッサに前記第１の態様にかかる方法を実行させる。
【００１１】
第６の態様では、命令が格納されたコンピュータ可読媒体が提供される。本命令は、少なくとも１つのプロセッサで実行される場合、前記少なくとも１つのプロセッサに前記第２の態様にかかる方法を実行させる。
【００１２】
第７の態様では、コンピュータ可読媒体に有形に（tangibly）格納されるコンピュータプログラム製品が提供される。本コンピュータブログラム製品は、少なくとも１つのプロセッサで実行される場合、前記少なくとも１つのプロセッサに前記第１の態様又は前記第２の態様にかかる方法を実行させる命令を含む。
【００１３】
本開示の他の特徴は、以下の説明を通して容易に理解できるようになるであろう。
【図面の簡単な説明】
【００１４】
添付図面におけるいくつかの本開示の実施形態のより詳細な説明を通じて、本開示の上記および他の目的、特徴、および利点がより明らかになるだろう。
【００１５】
【図１】図１は、本開示の実施形態を実装することができる通信環境のブロック図である。
【００１６】
【図２】図２は、本開示のいくつかの実施形態にかかるＰＴＲＳ送信のためのプロセスを示す。
【００１７】
【図３】図３は、本開示のいくつかの実施形態にかかるＰＴＲＳ構成のための例示的な方法３００のフローチャートを示す。
【００１８】
【図４Ａ】図４Ａは、本開示のいくつかの実施形態にかかるデータ送信のための例示的なリソース構造を示す。
【図４Ｂ】図４Ｂは、本開示のいくつかの実施形態にかかるデータ送信のための例示的なリソース構造を示す。
【図４Ｃ】図４Ｃは、本開示のいくつかの実施形態にかかるデータ送信のための例示的なリソース構造を示す。
【００１９】
【図５Ａ】図５Ａは、本開示のいくつかの実施形態にかかるＰＴＲＳ送信のための例示的なリソース構造を示す。
【図５Ｂ】図５Ｂは、本開示のいくつかの実施形態にかかるＰＴＲＳ送信のための例示的なリソース構造を示す。
【００２０】
【図６Ａ】図６Ａは、ＤＭＲＳ送信のための例示的な構成タイプを示す。
【図６Ｂ】図６Ｂは、ＤＭＲＳ送信のための例示的な構成タイプを示す。
【図６Ｃ】図６Ｃは、ＤＭＲＳ送信のための例示的な構成タイプを示す。
【図６Ｄ】図６Ｄは、ＤＭＲＳ送信のための例示的な構成タイプを示す。
【００２１】
【図７Ａ】図７Ａは、本開示のいくつかの実施形態にかかる異なるＤＭＲＳタイプのための異なるＰＴＲＳマッピングパターンを示す。
【図７Ｂ】図７Ｂは、本開示のいくつかの実施形態にかかる異なるＤＭＲＳタイプのための異なるＰＴＲＳマッピングパターンを示す。
【００２２】
【図８】図８は、本開示のいくつかの実施形態にかかる例示的なＰＴＲＳマッピングパターンを示す。
【００２３】
【図９】図９は、本開示のいくつかの実施形態にかかる例示的な方法９００のフローチャートを示す。
【００２４】
【図１０】図１０は、本開示の実施形態を実装するのに適したデバイスの簡略ブロック図である。
【００２５】
図面全体を通して、同一又は同様の参照番号は、同一又は同様の要素を表す。
【発明を実施するための形態】
【００２６】
以下、本開示の原理は、いくつかの例示的な実施形態を参照して説明される。これらの実施形態は、例示の目的でのみ記載されており、本開示のスコープにいかなる限定を示唆するものではなく、当業者が、本開示を理解し、実施するのを助けるためのものであることを理解されたい。本明細書で説明される本開示は、以下で説明されるもの以外の様々な方法で実装することができる。
【００２７】
以下の説明および特許請求の範囲において、別段の定義がない限り、本明細書で使用されるすべての技術用語及び科学用語は、本開示が属する技術分野の当業者によって一般に理解されるのと同じ意味を有する。
【００２８】
本明細書で使用される場合、「ネットワークデバイス」または「基地局」（ＢＳ）という用語は、端末デバイスが通信できるセル又はカバレッジを提供又はホストすることができるデバイスを指す。ネットワークデバイスの例には、これに限定されないが、ＮｏｄｅＢ（ＮｏｄｅＢ又はＮＢ）、エボルブドＮｏｄｅＢ（ｅＮｏｄｅＢ又はｅＮＢ）、次世代ＮｏｄｅＢ（ｇＮＢ）、リモートレディオユニット（ＲＲＵ：Remote Radio Unit）、レディオヘッド（ＲＨ）、リモートレディオヘッド（ＲＲＨ：remote radio head）、フェムトノード、ピコノード等の低電力ノード等が含まれる。議論の目的のために、以下では、いくつかの実施形態は、ネットワークデバイスの例として、ｇＮＢを参照して説明される。
【００２９】
本明細書で使用される場合、「端末デバイス」という用語は、無線又は有線通信能力を有する任意のデバイスを指す。端末デバイスの例には、これに限定されないが、ユーザ装置（ＵＥ：user equipment）、パーソナルコンピュータ、デスクトップ、モバイルフォン、セルラフォン、スマートフォン、パーソナルデジタルアシスタント（ＰＤＡ：personal digital assistant）、ポータブルコンピュータ、デジタルカメラ等の画像キャプチャデバイス、ゲームデバイス、音楽ストレージ及び再生アプライアンス、もしくは無線又は有線インターネットアクセス及びブラウジングを可能とするインターネットアプライアンス等が含まれる。議論の目的のために、以下では、いくつかの実施形態は、端末デバイスの例として、ＵＥを参照して説明される。
【００３０】
本明細書で使用される場合、単数形の「ａ」、「ａｎ」、「ｔｈｅ」は、文脈が明確に別途指示しない限り、複数形も含むことが意図される。用語「を含む」およびその変化形は、「を含むがそれに限定されない」を意味するオープンな用語として読まれるべきである。用語「に基づいて」は、「に少なくとも部分的に基づいて」として読まれるべきである。用語「１つの実施形態」および「一実施形態」は、「少なくとも１つの実施形態」として読まれるべきである。用語「別の実施形態」は、「少なくとも１つの他の実施形態」として読まれるべきである。用語「第１の」「第２の」等は、異なるものを指すことも同じものを指すこともある。明示的および暗示的な他の定義が以下に含まれ得る。
【００３１】
いくつかの例では、値、手順、又は装置は、「最良（best）」、「最低(lowest)」、「最高(highest」、「最小(minimum)」、「最大(maximum)」等と呼ばれる。そのような説明は、多くの使用される機能的選択肢からの選択ができることを示すことを意図しており、そのような選択が他の選択よりも良い、より小さい、より高い、又はそうでなければ好適である必要がないことを理解されたい。
【００３２】
本開示で議論される通信は、これに限定されないが、ニューレディオアクセス（ＮＲ：New Radio Access）、ロングタームエボリューション（ＬＴＥ：Long Term Evolution）、ＬＴＥエボリューション、ＬＴＥアドバンス（ＬＴＥ−Ａ：LTE-Advanced）、ワイドバンドコード分割多重アクセス（ＷＣＤＭＡ：Wideband Code Division Multiple Access）（登録商標）、コード分割多重アクセス（ＣＤＭＡ：Code Division Multiple Access）、モバイル通信用グローバルシステム（ＧＳＭ：Global System for Mobile Communications）等を含む任意の適切な規格に準拠し得る。さらに、通信は、現在知られているか、又は将来開発される任意の世代の通信プロトコルに従って実行され得る。通信プロトコルの例には、これに限定されないが、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）通信プロトコルが含まれる。
【００３３】
図１は、本開示の実施形態を実装することができる例示的な通信ネットワーク１００を示す。ネットワーク１００は、ネットワークデバイス１１０と、ネットワークデバイス１１０によりサービスされる３つの端末デバイス１２０−１及び１２０−３（まとめて端末デバイス１２０と呼ばれるか、又は個別に端末デバイス１２０と呼ばれる）を含む。ネットワークデバイス１１０のカバレッジは、セル１０２とも呼ばれる。基地局及び端末デバイスの数は、いかなる限定を示唆することなく、例示の目的のためだけであることを理解すべきである。ネットワーク１００は、本開示の実施形態を実装するように適合された任意の適切な数の基地局及び端末デバイスを含み得る。図示されていないが、セル１０２に隣接する１つ又は複数の隣接セルが存在してもよく、１つ又は複数の対応するネットワークデバイスが、その中に位置するいくつかの端末デバイスにサービスを提供することが理解されるであろう。
【００３４】
ネットワークデバイス１１０は、端末デバイス１２０と通信し得る。ネットワーク１００の通信は、これに限定されないが、これに限定されないが、ロングタームエボリューション（ＬＴＥ）、ＬＴＥ−エボリューション、ＬＴＥ−アドバンス（ＬＴＥ−Ａ）、ワイドバンドコード分割多重アクセス（ＷＣＤＭＡ）、コード分割多重アクセス（ＣＤＭＡ）、及びモバイル通信用グローバルシステム（ＧＳＭ）等を含む任意の適切な規格に準拠し得る。さらに、通信は、現在知られているか、又は将来開発される任意の世代の通信プロトコルに従って実行され得る。通信プロトコルの例には、これに限定されないが、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）通信プロトコルが含まれる。
【００３５】
従来、ネットワークデバイス（例えば、ｅＮＢ又はｇＮＢ）は、復調参照信号（ＤＭＲＳ：Demodulation Reference Signal）、チャネル状態情報参照信号（ＣＳＩ−ＲＳ：Channel State Information-Reference Signal）、サウンディング参照信号（ＳＲＳ：Sounding Reference Signal）、位相追跡参照信号（ＰＴＲＳ）、細かい時間及び周波数（fine time and frequency）追跡参照信号（ＴＲＳ：Tracking Reference Signal）等のダウンリンク参照信号（ＲＳ：reference signal）を送信し得る。システムにおける端末デバイス（例えば、ユーザ装置）は、割り当てられたリソースでダウンリンクＲＳを受信し得る。端末デバイスは、対応する割り当てられたリソースでネットワークデバイスにアップリンクＲＳも送信し得る。ＲＳのために割り当てられたリソース及び／又は他の必要な情報を示すために、ネットワークデバイスは、ＲＳの送信の前にＲＳ構成を端末デバイスに送信し得る。
【００３６】
通常のデータ通信に加えて、ネットワークデバイス１１０は、ダウンリンク（ＤＬ）において、１つ又は複数の端末デバイス１２０に、ブロードキャスト、マルチキャスト、及び／又はユニキャストの方法でダウンリンク参照信号（ＲＳ）を送信し得る。同様に、１つ又は複数の端末デバイス１２０は、アップリンク（ＵＬ）において、ネットワークデバイス１１０にＲＳを送信し得る。本明細書で使用される場合、「ダウンリンク」は、ネットワークデバイスから端末デバイスへのリンクを指し、「アップリンク」は、端末デバイスからネットワークデバイスへのリンクを指す。ＲＳの例には、限定されないが、ダウンリンク又はアップリンク復調参照信号（ＤＭＲＳ）、チャネル状態情報参照信号（ＣＳＩ−ＲＳ）、サウンディング参照信号（ＳＲＳ）、位相追跡参照信号（ＰＴＲＳ）、細かい時間及び周波数追跡参照信号（ＴＲＳ：Tracking Reference Signal）等が含まれてもよい。
【００３７】
一般的に言えば、ＲＳは、ネットワークデバイス１１０及び端末デバイス１２０の両方により知られている信号シーケンス（「ＲＳシーケンス」とも呼ばれる）である。例えば、ＲＳシーケンスは、特定のルールに基づいてネットワークデバイス１１０により生成及び送信されてもよく、端末デバイス１２０は、同じルールに基づいてＲＳシーケンスを推定してもよい。ダウンリンク及びアップリンクＲＳの送信において、ネットワークデバイス１１０は、送信のために対応するリソース（「ＲＳリソース」としても呼ばれる）を割り当て、及び／又はどのＲＳシーケンスが送信されるべきかを指定してもよい。
【００３８】
いくつかのシナリオでは、ネットワークデバイス１１０及び端末デバイス１２０の両方が複数のアンテナポート（又はアンテナ素子）を備えており、アンテナポート（アンテナ素子）で指定されたＲＳシーケンスを送信することができる。いくつかのＲＳポートに関連付けられたＲＳリソースのセットも指定される。ＲＳポートは、時間、周波数、及び／又はコード領域におけるＲＳ送信のために割り当てられたリソース領域の１つ又は複数のリソースエレメント（ＲＥ：resource element）へのＲＳシーケンスの一部又は全ての特定のマッピングと呼ばれてもよい。そのようなリソース割り当て情報は、ＲＳの送信の前に端末デバイス１２０に示されてもよい。
【００３９】
ＮＲでは、ＰＴＲＳは、位相ノイズの補償を可能とするために導入することができる。一般に、キャリア周波数が高くなると位相ノイズも増加してくるため、高周波数帯域において動作する無線ネットワークの位相ノイズを除去するためにＰＴＲＳが使用できる。
ＯＦＤＭベースのシステムの場合、ＰＴＲＳポートがＤＭＲＳポートに関連付けることができることが合意されている。異なるＤＭＲＳポートは、時間及び／周波数領域におけるコード分割多重（ＣＤＭ：Code Division Multiplexing）技術に基づいて、及び／又は周波数分割多重（ＦＤＭ：Frequency Division Multiplexing）技術に基づいて多重化され得る。たとえば、ＣＤＭ技術に基づいて多重化されたＤＭＲＳポートのグループは、「ＣＤＭグループ」とも呼ぶことができる。さらに、フロントローディングされたＤＭＲＳは、高速デコーディングのためにサポートされており、フロートローディングされたＤＭＲＳに加えて追加のＤＭＲＳは、高速／高ドップラーシナリオのためにサポートされている。
【００４０】
時間領域におけるＰＴＲＳ密度は、スケジューリングされる変調及び符号化方式（ＭＣＳ：Modulation and Coding Scheme）に関連付けることができ、周波数領域におけるＰＴＲＳ密度は、スケジューリングされた帯域幅に関連付けることができることが分かってきた。しかし、時間領域におけるＰＴＲＳ密度は、追加のＤＭＲＳの数に関連してもよい。すなわち、周波数領域におけるいくつかのＰＴＲＳマッピングパターンは、必要なくてもよい。さらに、制限なしで、（例えば、異なるＣＤＭグループ間）周波数領域におけるＰＴＲＳマッピングパターンは、干渉及びパフォーマンス損失を引き起こし得る。
【００４１】
上記の問題及び１つ又は複数の他の潜在的な問題を解決するために、ＰＴＲＳ構成の解決策が、本開示の例示的な実施形態に従って提供される。本解決策によれば、ＰＴＲＳ構成を示すためのシグナリングオーバヘッド及び異なるＣＤＭグループ間のＰＴＲＳマッピングにより引き起こされる干渉を削減できる。
【００４２】
本開示の原理及び実装は、図２〜９を参照して以下で詳細に説明される。図２は、本開示のいくつかの実施形態にかかるＰＴＲＳ送信のための２つのプロセス２１０及び２２０を示す。議論の目的で、プロセス２１０及び２２０は、図１を参照して以下に説明される。プロセス２１０及び２２０は、ネットワークデバイス１１０と、ネットワークデバイス１１０によりサービスされる１つ又は複数の端末デバイス１２０とを含んでもよい。
【００４３】
図２に示すように、プロセス２１０は、ＤＬ  ＰＴＲＳ送信の場合に向けられている。一実施形態では、ネットワークデバイス１１０は、端末デバイス１２０にＰＴＲＳ構成を示してもよい（２１１）。例えば、ＰＴＲＳ構成は、ＰＴＲＳ送信のためのＰＴＲＳポートがＤＭＲＳポートに関連付けられていることを示してもよい。ネットワークデバイス１２０は、ＰＴＲＳ構成に基づいて、ＰＴＲＳを送信してもよい（２１２）。端末デバイス１２０は、ネットワークデバイス１１０からＰＴＲＳ構成を受信してもよく、位相ノイズを補償するために、受信されたＰＴＲＳ構成に基づいて、ＰＴＲＳを検出してもよい。プロセス２２０は、ＵＬ  ＲＳ送信の場合に向けられている。他の実施形態では、ネットワークデバイス１１０は、端末デバイス１２０にＰＴＲＳ構成を示してもよい（２２１）。例えば、ＰＴＲＳ構成は、ＰＴＲＳ送信ためのＰＴＲＳポートがＤＭＲＳポートに関連付けられていることを示してもよい。端末デバイス１２０は、ＰＴＲＳ構成をネットワークデバイス１１０から受信してもよく、受信されたＰＴＲＳ構成に基づいてＰＴＲＳを送信してもよい（２２２）。ネットワークデバイス１１０は、位相ノイズを補償するために、ＰＴＲＳ構成に基づいてＰＴＲＳを検出してもよい。
【００４４】
図３は、本開示のいくつかの実施形態にかかるＰＴＲＳ構成のための例示的な方法３００のフローチャートを示す。方法３００は、図１に示したネットワークデバイス１１０において実施することができる。議論の目的で、方法３００は、図１を参照してネットワークデバイス１１０の観点から説明される。
【００４５】
動作３１０において、ネットワークデバイス１１０は、ＰＴＲＳを送信するための第１の構成を決定する。
いくつかの実施形態では、第１の構成は、以下のうち少なくとも１つを示してもよい：時間領域におけるＰＴＲＳの第１の密度、周波数領域におけるＰＴＲＳの第２の密度、時間領域におけるＰＴＲＳのための第１のリソース割り当て、及び周波数領域におけるＰＴＲＳのための第２のリソース割り当て。
【００４６】
ＯＦＤＭベースのシステムの場合、時間領域におけるＰＴＲＳの密度は、通常、４番目のシンボル毎（つまり１／４）、２番目のシンボル毎（つまり、１／２）、及びシンボル毎（つまり、１）を含み得る。時間領域におけるＰＴＲＳの密度は、スケジューリングされたＭＣＳに関連付けることができる。ＰＴＲＳの時間密度は、スケジューリングされるＭＣＳが増加することに伴って増加することが予想される。例えば、表１は、時間領域におけるＰＴＲＳの典型的な利用可能な密度を示し、表２は、スケジューリングされたＭＣＳと、ＰＴＲＳの時間密度との間の関連付けを示す。表１において、ＭＣＳ１〜ＭＣＳ４は、所定の、及び／又は構成された（ＲＲＣシグナリングを介する等の）ＭＣＳ閾値を表してもよい。
【表１】
2021510241.tif 000003
【表２】
2021510241.tif 000004
【００４７】
ＯＦＤＭベースのシステムの場合、ＰＴＲＳの周波数密度は、通常、ＲＢ毎（つまり、１）、２番目のＲＢ毎（つまり、１／２）、３番目のＲＢ毎（つまり、１／３）、４番目のＲＢ毎（つまり、１／４）、８番目のＲＢ毎（つまり、１／８）、又は１６番目のＲＢ毎（つまり、１／１６）の少なくとも１つにおいて、１つのサブキャリア（時間密度に応じて、必ずしも、全てのＲＥではない）を占有することを含む。周波数領域におけるＰＴＲＳの密度は、スケジューリングされた帯域幅（つまり、スケジューリングされたＲＢの数）に関連付けることができる。ＰＴＲＳの周波数密度は、スケジューリングされた帯域幅が増加することに伴って、減少することが予想される。例えば、表３は、スケジューリングされた帯域幅（ＮＲＢで表される）と、ＰＴＲＳの周波数密度との間の関連付けを示す。表３では、ＮＲＢ１〜ＮＲＢ５は、所定の、及び／又は構成された（ＲＲＣシグナリングを介する等の）帯域幅閾値を表し得る。
【表３】
2021510241.tif 000005
【００４８】
いくつかの実施形態では、いくつかのパラメータの異なる値に対して、時間領域におけるＰＴＲＳの利用可能な密度は、異なり得る。一実施形態では、パラメータは、以下の少なくとも１つを含み得る：追加のＤＭＲＳの数、フロントローディングされたＤＭＲＳを送信するためのシンボルの数、制御チャネル送信のためのシンボルの数、ＤＭＲＳポートの数、ＣＤＭグループの数、周波数範囲、及びサブキャリア間隔（ＳＣＳ：subcarrier spacing）値。例えば、表１に示すＰＴＲＳの時間密度の総セット（total set）は、｛０，ＴＤ１，ＴＤ２，ＴＤ３｝として表すことができる。一実施形態では、パラメータの異なる値に応じて、時間領域におけるＰＴＲＳの候補密度（candidate densities）のセットを｛０，ＴＤ１，ＴＤ２，ＴＤ３｝のサブセットに制限することができる。このように、第１の構成により示される時間領域におけるＰＴＲＳの第１の密度は、候補密度のセットから選択することができる。
【００４９】
いくつかの実施形態では、候補密度のセットは、表２の対応するＭＣＳ閾値を構成することにより、時間密度の総セットから選択することができる。例えば、一実施形態では、時間密度の総セットにおける時間密度は、利用できない場合があり得る。これは、２つの対応するＭＣＳ閾値を、利用できない密度の行で同じになるように設定することで実現できる。例えば、「ＰＴＲＳなし（No PTRS）」の構成がない場合、ＭＣＳ１は、０又は１で設定されてもよい。他の例について、時間密度ＴＤ１の構成がない場合、ＭＣＳ１は、ＭＣＳ２と同一になるように設定されてもよい。他の例について、時間密度ＴＤ２の構成がない場合、ＭＣＳ２は、ＭＣＳ３と同一になるように設定されてもよい。他の例について、時間密度ＴＤ３の構成がない場合、ＭＣＳ３は、ＭＣＳ４と同一になるように設定されてもよい。
【００５０】
ＮＲでは、物理ダウンリンク共有チャネル（ＰＤＳＣＨ：Physical Downlink Shared Channel）／物理アップリンク共有チャネル（ＰＵＳＣＨ：Physical Uplink Shared Channel）ＤＭＲＳを含むＯＦＤＭシンボルでＰＴＲＳが送信されないことが合意されている。さらに、ＰＴＲＳは、制御チャネル（「ＣＯＲＥＳＥＴ」とも呼ばれる）のブラインド検出のために構成されたサーチスペースとオーバーラップされるＲＥでは送信されない。
【００５１】
一実施形態では、例えば、構成されたＣＯＲＥＳＥＴは３つのシンボルを含み、及び／又はフロントローディングされたＤＭＲＳを送信するためのシンボルの数は１であり、及び／又は追加のＤＭＲＳの数は２又は３である。この場合、１／４及び／又は１／２の密度は、サポートされなくてもよい（例えば、ＭＣＳ１は、ＭＣＳ２と常に同一であり、及び／又はＭＣＳ２は、ＭＣＳ３と常に同一である）。すなわち、時間領域におけるＰＴＲＳの候補密度のセットは、｛０、ＴＤ２，ＴＤ３｝（つまり、｛０，１／２，１｝）又は｛０、ＴＤ３｝（つまり、｛０，１｝）に制限することができる。
【００５２】
一実施形態では、例えば、フロントローディングされたＤＭＲＳを送信するためのシンボルの数は２であり、及び／又は周波数範囲は６ＧＨｚよりも大きく、及び／又はＳＣＳ＝６０ｋＨｚ又は１２０ｋＨｚである。この場合、時間領域におけるＰＴＲＳの密度は、１に固定されてもよく、又は０及び１の間に設定されてもよく、又は１／４の密度は、サポートされなくてもよい。さらに、密度０は、サポートされなくてもよい。すなわち、時間領域におけるＰＴＲＳの候補密度のセットは、｛ＴＤ３｝、｛０、ＴＤ３｝、｛０、ＴＤ２，ＴＤ３｝、｛ＴＤ１，ＴＤ２｝又は｛ＴＤ１，ＴＤ２，ＴＤ３｝のうちの１つに制限することができる。
【００５３】
上記の例は、本開示にいかなる限定を示唆するものではなく、例示の目的のためだけに設けられたことを理解されたい。本開示は、必ずしも上述した上記の例に限定されない。むしろ、本開示の教示を考慮して、当業者は、異なる周波数範囲、及び／又はサブキャリア間隔の値に関する等、より多くの特徴及び／例を考えることができる。
【００５４】
いくつかの実施形態では、スロットベース（slot-based）及び／又は非スロットベース（non-slot based）の送信（ＵＬ又はＤＬ）の場合、送信のために割り当てられた時間リソース（例えば、対応するシンボル）は、１つ又は複数の領域に分割できる。送信のために割り当てられた周波数リソース（例えば、対応するリソースブロック）は、連続的又は非連続的であり得ることに留意されたい。具体的には、一実施形態では、異なる領域の周波数領域におけるそれぞれのリソース割り当ては異なってもよい。
【００５５】
いくつかの実施形態では、スロットベースの送信の場合、シンボルの所定のセットは、１〜３つの領域に分割することができる。例えば、スロットベースの送信のための例示的なリソース構造は、図４Ａに示されており、送信のために割り当てられたシンボルの所定のセットは、３つの領域に分割されている。領域Ａは、制御チャネル送信のためのシンボル、又はＣＯＲＥＳＥＴのためのシンボルを含み得る。領域Ｂは、データ送信（ＰＤＳＣＨ又はＰＵＳＣＨ等）のために割り当てられたシンボルを含み得る。領域Ｂでは、他の信号又はチャネルも送信できることに留意されたい。領域Ｃは、例えば、ＤＬ又はＵＬ送信のために使用されない、未知の又は予約された（unknown or reserved）シンボルを含み得る。例えば、いくつかの実施形態では、１つのスロットにおけるシンボルの総数は１４であり得る。領域Ａにおけるシンボルの数は、０〜３であり得る。領域Ｃにおけるシンボルの数は、０〜６であり得る。領域Ｂにおけるシンボルの数は、１以上であってもよい。
【００５６】
いくつかの実施形態では、非スロットベースの送信の場合、シンボルの所定のセットは、１つ又は２つの領域に分割することができる。例えば、非スロットベースの送信のための例示的なリソース構造は、図４Ｂに示されており、送信のために割り当てられたシンボルの所定のセットは、２つの領域（領域Ａ及びＢ）に分割される。例えば、１つのミニスロットにおけるシンボルの総数は、１、２、３、４、５、６、７、８、９、１０、１１、１２及び１３のうちのいずれかであり得る。例えば、非スロットベースのスケジューリングのためのシンボルの総数は、２、４及び７のいずれかであり得る。領域Ａにおけるシンボルの数は、０〜３であり得る。領域Ｂにおけるシンボルの数は、１〜７であり得る。非スロットベースの送信のための他の例示的なリソース構造は、図４Ｃに示されており、送信のために割り当てられたシンボルの所定のセットは、１つの領域（領域Ａ）に分割される。例えば、領域Ａにおけるシンボルの数は、１つのミニスロットにおいて、シンボルの総数以下であり得る。
【００５７】
いくつかの実施形態では、周波数領域におけるＰＴＲＳ構成は、分割された１つ又は複数の領域に基づいて決定することができる。具体的には、図４Ａ〜４Ｃに示した領域Ａ及びＢでは、ＰＴＲＳが存在する場合、異なる領域のためのそれぞれのＰＴＲＳ構成は、異なるパラメータ及び／又は構成に基づいて決定することができる。例えば、領域Ａ及びＢに対する周波数領域におけるそれぞれのＰＴＲＳ密度及び／又はＰＴＲＳのためのＲＢ位置又はインデックスは、異なっていてもよい。これに関して、図５Ａは、周波数領域におけるＰＴＲＳのためのリソース割り当ての例示的な構造を示す。
【００５８】
図５Ａに示すように、一実施形態では、領域Ａ及びＢに対する周波数領域におけるリソース割り当ては、異なっていてもよい。例えば、領域Ａにおいて割り当てられたＲＢの数をＮ＿ａとして表すことができ、領域Ｂにおいて割り当てられたＲＢの数をＮ＿ｂとして表すことができる。一実施形態では、Ｎ＿ａは、Ｎ＿ｂと異なっている。具体的には、図５Ａに示すように、領域Ａにおいて割り当てられたＲＢは、構成されたＣＯＲＥＳＥＴとオーバーラップすべきではない。いくつかの実施形態では、異なる領域について、周波数領域におけるＰＴＲＳ密度は、ＲＢの異なる数に基づいて決定されてもよい。図５Ａに示すように、領域Ａにおいて、ＰＴＲＳを含むＲＢの数は、領域Ｂにおいて、ＰＴＲＳを含むＲＢの数と異なっている。いくつかの実施形態では、異なる領域に対して、ＰＴＲＳのＲＢへのマッピングは、以下の少なくとも１つに基づいて決定されてもよい：ＲＢの異なる数、周波数領域における異なるＰＴＲＳ密度、及び／又は異なるＲＢオフセット値。
【００５９】
あるいは、いくつかの実施形態では、周波数領域におけるＰＴＲＳ構成は、分割された１つ又は複数の領域に基づいて決定することができる。具体的には、図４Ａ〜４Ｃに示す領域Ｂにおいて、ＰＴＲＳが存在する場合、ＰＴＲＳのためのリソース割り当ては、以下の少なくとも１つに基づいて決定することができる：リソース割り当て、周波数領域におけるＰＴＲＳ密度、及びＲＢオフセット値。しかし、領域Ａにおいて、ＰＴＲＳが存在している場合、ＰＴＲＳのためのリソース割り当ては、領域Ｂにおけるそれに基づいて決定することができる。例えば、領域ＡにおけるＰＴＲＳを含むＲＢは、領域ＢにおけるＰＴＲＳを含むＲＢに含まれてもよい。さらに、領域ＡにおけるＰＴＲＳを含むＲＢは、構成されたＣＯＲＥＳＥＴとオーバーラップすべきではない。これに関連して、図５Ｂは、周波数領域におけるＰＴＲＳのためのリソース割り当ての例示的な構造を示す。
【００６０】
図５Ｂに示すように、一実施形態では、例えば、領域ＢにおいてＰＴＲＳを含むＲＢは、領域Ａにおいて構成されたＣＯＲＥＳＥＴとオーバーラップされなくてもよい。この場合、領域ＡにおいてＰＴＲＳを含むＲＢは、領域ＢにおいてＰＴＲＳを含むＲＢと同じであってもよい。他の実施形態では、例えば、領域ＢにおいてＰＴＲＳを含むＲＢの全ては、領域Ａにおいて構成されたＣＯＲＥＳＥＴとオーバーラップされる。この場合、領域ＡにはＰＴＲＳ送信がなくてもよい。
【００６１】
図５Ａ及び５Ｂに示すＣＯＲＥＳＥＴは、周波数領域において連続的又は非連続的であってもよいことに留意すべきである。いくつかの場合、領域Ａにおいて１つよりも多くのＣＯＲＥＳＥＴがあり得る。図５Ａ及び５Ｂに示す時間領域におけるＰＴＲＳマッピングは、連続的又は非連続的であってもよく、これは、時間領域におけるデータ送信のためのリソース割り当て、時間領域におけるＰＴＲＳ密度、及びＤＭＲＳ構成に基づく。例えば、ＰＴＲＳは、ＤＭＲＳを含むシンボルを除くＫシンボル毎に送信されてもよく、Ｋは、１、２又は４のいずれかである。
【００６２】
いくつかの実施形態では、少なくとも特定のＰＴＲＳ時間密度、及び／又はＣＯＲＥＳＥＴのための特定数のシンボルの場合、ＰＴＲＳ時間、及び／又は周波数密度が０でなくても、領域ＡにはＰＴＲＳ送信がない場合があり得る。例えば、ＰＴＲＳ時間密度が１／４の場合、領域Ａには、ＰＴＲＳ送信がないことがあり得る。他の例の場合、ＣＯＲＥＳＥＴのためのシンボルの数が１、及び／又は２である場合、領域Ａには、ＰＴＲＳ送信がないことがあり得る。明らかに、領域Ａにシンボルがない場合、領域Ａには、ＰＴＲＳ送信がないであろう。いくつかの実施形態では、ＰＴＲＳ時間及び／又は周波数密度が０でない場合、時間領域におけるＰＴＲＳマッピングは、ＣＯＲＥＳＥＴの後のシンボルから開始してもよい。
【００６３】
いくつかの実施形態では、ＰＴＲＳ時間及び／又は周波数密度が０ではない場合、領域Ａにおける第１のシンボルは、常にＰＴＲＳを含んでもよい。
【００６４】
いくつかの実施形態では、周波数領域におけるＰＴＲＳ構成は、周波数領域におけるＰＴＲＳ密度、スケジューリングされた帯域幅、ＲＢ及び／又はリソースエレメント（ＲＥ：resource element）オフセット、並びに、リソース割り当ての所定の及び／又は構成されたタイプ等に基づいて決定することができる。例えば、周波数領域におけるＰＴＲＳ構成は、ＲＢ及び／又はＲＥレベルでのリソースマッピングを示してもよい。
【００６５】
いくつかの実施形態では、例えば、仮想ＲＢインデックス（virtual RB indices）は、ＲＢレベルでのＰＴＲＳマッピングのために使用されてもよい。周波数領域におけるＰＴＲＳマッピングは、いくつかのＲＢ及び／又はＲＥをスキップしてもよい。一実施形態では、スキップされたＲＢは、ＰＴＲＳがパンクチャ（punctured）され得る、他のＲＳ（ＣＳＩ−ＲＳ、ＴＲＳ、同期信号ブロック（ＳＳＢ：synchronization signal block）等）又はチャネルを含むものであり得る。他の実施形態では、スキップされたＲＢは、ＰＴＲＳを含まないように構成されたものであってもよい。ＰＴＲＳマッピングは、残りのＲＢにそれぞれの仮想ＲＢインデックスでインデックス付けすることにより、残りのＲＢに適用することができる。すなわち、仮想ＲＢインデックスは、いくつかのＲＢにインデックスを付けなくてもよい。インデックス付けされたＲＢの数が、ＰＴＲＳの周波数密度を満たさない場合、ＰＴＲＳマッピングは、（スキップされたＲＢ、及びＰＴＲＳのために既に割り当てられたＲＢを除く）残りのＲＢにそれぞれの仮想ＲＢインデックスをインデックス付けすることにより継続する。ＰＴＲＳを含むインデックス付けされたＲＢの数がＰＴＲＳの周波数密度を満たすか、又は残りのＲＢがなくなるまで、ＰＴＲＳマッピングは終了しない。具体的には、一実施形態では、残りのＲＢの数が、ＰＴＲＳの周波数密度に到達するのに十分でない場合、残りのＲＢのそれぞれは、ＰＴＲＳを含んでもよい。
【００６６】
いくつかの実施形態では、上述したように、ＰＴＲＳポートは、ＤＭＲＳポートに関連付けることができる。ＤＭＲＳポートは、１つのＣＤＭグループに属してもよく、１つのＲＢ内のいくつかのＲＥを占有してもよい。例えば、３ＧＰＰ仕様のワークで合意されているように、ＤＭＲＳの２つのタイプ（構成パターン）がある。ＤＭＲＳタイプ１の場合、１つ又は２つのシンボルをサポートすることができる。図６Ａに示すように、１つのシンボルに関連付けられたＤＭＲＳタイプ１の場合、（ＤＭＲＳポートＡ〜Ｄとして表された）最大４つのＤＭＲＳポートをサポートできる。図６Ｂに示すように、２つのシンボルに関連付けられたＤＭＲＳタイプ１の場合、（ＤＭＲＳポートＡ〜Ｈとして表された）最大８つのＤＭＲＳポートをサポートできる。例えば、ＤＭＲＳタイプ１の場合、２つのＣＤＭグループがあり得る。１つのＣＤＭグループは、１つのＲＢ内の偶数のインデックスを持つＲＥ、例えば、ＲＥインデックスが０から開始する場合、ＲＥ０、２、４、６、８及び１０を占有してもよい。他のＣＤＭグループは、１つのＲＢ内の奇数のインデックスを持つＲＥ、例えば、ＲＥインデックスは０から開始する場合、ＲＥ１、３、５、７、９及び１１を占有してもよい。ＤＭＲＳタイプ２の場合、１つ又は２つのシンボルをサポートできる。図６Ｃに示すように、１つのシンボルに関連付けられたＤＭＲＳタイプ２の場合、（ＤＭＲＳポートＡ〜Ｆとして表された）最大６個のＤＭＲＳポートをサポートできる。図６Ｄに示すように、２つのシンボルに関連付けられたＤＭＲＳタイプ２の場合、（ＤＭＲＳポートＡ〜Ｌとして表された）最大１２個のＤＭＲＳポートをサポートできる。例えば、ＤＭＲＳタイプ２の場合、３つのＣＤＭグループがあり得る。ＲＥインデックスが０から開始する場合、１つのＣＤＭグループは、ＲＥ０、１、６及び７を占有してもよく、１つのＣＤＭグループは、ＲＥ２、３、８及び９を占有してもよく、１つのＣＤＭグループは、ＲＥ４、５、１０及び１１を占有してもよい。図６Ａ〜６Ｄに示すように、異なる塗りつぶしパターンは、異なるＣＤＭグループを表し得る。
【００６７】
いくつかの実施形態では、周波数領域において、ＲＥオフセットは、１つのＲＢ内においてＰＴＲＳをマッピングするためのサブキャリアを選択するために使用することができる。一実施形態では、ＲＥオフセットは、以下の所定のパラメータの少なくとも１つから決定することができる：関連付けられたＤＭＲＳポートインデックス、スクランブリング識別子（ＳＣＩＤ：scrambling identity）、セル識別子等。一実施形態では、ＲＥオフセットは、無線リソース制御（ＲＲＣ：Radio Resource Control）パラメータ“PTRS-RE-offset”により、明示的に設定することができる。
【００６８】
いくつかの実施形態では、ＰＴＲＳをマッピングするための選択されたサブキャリアは、ＰＴＲＳを含むＲＢ内の周波数範囲に制限されてもよい。例えば、一実施形態では、ＲＢ内の周波数領域は、例えば、上位レイヤシグナリング（ＲＲＣ、及び／又はメディアアクセス制御（ＭＡＣ：Medium Access Control）コントロールエレメント（ＣＥ：Control Element）等）、及び／又は動的シグナリング（例えば、ダウンリンク制御情報（ＤＣＩ：downlink control information））を介して設定されてもよい。一実施形態では、ＲＢ内の周波数領域は、関連付けられたＤＭＲＳポートにより占有されるものと同じ周波数位置にあるＲＥを含んでもよい。一実施形態では、ＤＬ又はＵＬデータ送信のためのＤＭＲＳポートのサブセットを構成することができ、ＤＭＲＳポートの構成されたサブセットのうちの１つにおいて、いくつかのＲＥがあってもよい。ＰＴＲＳのための制限された周波数領域は、ＤＭＲＳポートの構成されたサブセットのＲＥと同じであるか、又は含まれてもよい。いくつかの実施形態では、１つ又は複数のＤＬ  ＤＭＲＳ  ＣＤＭグループは、レートマッチング（rate matching）のために構成されてもよい。この場合、ＰＴＲＳをマッピングするための選択されたサブキャリアは、構成された１つ又は複数のＣＤＭグループにより占有されたＲＥとオーバーラップされなくてもよい。
【００６９】
図６Ａ及び６Ｂに示すように、ＤＭＲＳタイプ１の場合、グループ０及びグループ１等の２つのＣＤＭグループがあり得る。
【００７０】
いくつかの実施形態では、ＰＴＲＳポートは、ＤＭＲＳポートＡ、Ｂ、Ｅ及び／又はＦ等のＤＭＲＳ  ＣＤＭグループ０に関連付けられてもよい。この場合、ＰＴＲＳポートは、ＰＴＲＳポートを含む１つのＲＢ内の偶数のインデックスのＲＥ内にマッピングされてもよい。例えば、ＰＴＲＳポートは、ＰＴＲＳポートを含む１つのＲＢにおいて、インデックス｛０，２，４，６，８，１０｝のＲＥ内に制限されてもよい。例えば、ＰＴＲＳポートは、ＲＥのうちの１つにマッピングできる。
【００７１】
いくつかの他の実施形態では、ＰＴＲＳポートは、ＤＭＲＳポートＣ、Ｄ、Ｇ及び／又はＨ等のＤＭＲＳ  ＣＤＭグループ１に関連付けられてもよい。この場合、ＰＴＲＳポートは、ＰＴＲＳポートを含む１つのＲＢ内の奇数インデックスのＲＥ内にマッピングされてもよい。例えば、ＰＴＲＳポートは、ＰＴＲＳポートを含む１つのＲＢ内のインデックス｛１，３，５，７，９，１１｝のＲＥ内に制限されてもよい。例えば、ＰＴＲＳポートは、ＲＥのうちの１つにマッピングできる。
【００７２】
一実施形態では、ＤＭＲＳタイプ１の場合、ＰＴＲＳポートのＲＥインデックスは、
【数１】
2021510241.tif 000006
（１）
として表すことができる。
ここで、Ｒは１つ又は複数のパラメータ（例えば、関連付けられたＤＭＲＳポートインデックス、ＳＣＩＤ、セルＩＤ等）から暗示的に導出されるポテンシャルインデックス（potential index）である。他の実施形態では、ＤＭＲＳタイプ１の場合、ＰＴＲＳポートのＲＥインデックスは、
【数２】
2021510241.tif 000007
（２）
として表すことができる。
ここで、Ｒは１つ又は複数のパラメータ（例えば、関連付けられたＤＭＲＳポートインデックス、ＳＣＩＤ、セルＩＤ等）から暗示的に導出されるポテンシャルインデックスである。
【００７３】
図７Ａは、そのような実施形態の例を示す。具体的には、図７Ａは、ＤＭＲＳタイプ１の周波数領域における１つのＰＲＢ内の例示的なＰＴＲＳマッピングパターンを示す。図７Ａに示す例は、本開示にいかなる限定を示唆するものではなく、例示の目的のためだけであることを理解されたい。本開示の実施形態は、フロントローディングされたＤＭＲＳの１つ又は２つのシンボルを有するＤＭＲＳタイプ１に適用可能である。
【００７４】
図６Ｃ及び６Ｄに示すように、ＤＭＲＳタイプ２の場合、グループ０、グループ１及びグループ２等の３つのＣＤＭグループがあり得る。
【００７５】
一実施形態では、ＰＴＲＳポートは、ＤＭＲＳポートＡ、Ｂ、Ｇ及び／又はＨ等のＤＭＲＳ  ＣＤＭグループ０に関連付けられてもよい。この場合、ＰＴＲＳポートは、ＰＴＲＳポートを含むＲＢ内のインデックス｛０，１，６，７｝のＲＥ内にマッピングされてもよい。他の実施形態では、ＰＴＲＳポートは、ＤＭＲＳポートＣ、Ｄ、Ｉ及び／又はＪ等のＤＭＲＳ  ＣＤＭグループ１に関連付けられてもよい。この場合、ＰＴＲＳポートは、ＰＴＲＳポートを含むＲＢ内のインデックス｛２，３，８，９｝のＲＥ内にマッピングされてもよい。さらに他の実施形態では、ＰＴＲＳポートは、ＤＭＲＳポートＥ、Ｆ、Ｋ及び／又はＬ等のＤＭＲＳ  ＣＤＭグループ２に関連付けられてもよい。この場合、ＰＴＲＳポートは、ＰＴＲＳポートを含むＲＢ内のインデックス｛４，５，１０，１１｝のＲＥ内にマッピングされてもよい。例えば、ＰＴＲＳポートは、制限されたＲＥセットにおいて１つのＲＥにマッピングすることができる。
【００７６】
一実施形態では、ＤＭＲＳタイプ２について、ＰＴＲＳポートのＲＥインデックスは、
【数３】
2021510241.tif 000008
として表すことができる。
ここで、Ｒは１つ又は複数のパラメータ（例えば、関連付けられたＤＭＲＳポートインデックス、ＳＣＩＤ、セルＩＤ等）から暗示的に導出されるポテンシャルインデックスである。
【数４】
2021510241.tif 000009
【００７７】
他の実施形態では、ＤＭＲＳタイプ２の場合、ＰＴＲＳポートのＲＥインデックスは、
【数５】
2021510241.tif 000010
として表すことができる。
ここで、Ｒは１つ又は複数のパラメータ（例えば、関連付けられたＤＭＲＳポートインデックス、ＳＣＩＤ、セルＩＤ等）から暗示的に導出されるポテンシャルインデックスであり、
【数６】
2021510241.tif 000011
【００７８】
図７Ｂは、このような実施形態の例を示す。具体的には、図７Ｂは、ＤＭＲＳタイプ２の周波数領域における１つのＰＲＢ内の例示的なＰＴＲＳマッピングパターンを示す。図７Ｂに示される例は、本開示にいかなる限定を示唆するものではなく、例示の目的のためだけであることを理解されたい。本開示の実施形態は、フロントローディングされるＤＭＲＳの１つ又は２つのシンボルを有するＤＭＲＳタイプ２に適用可能である。
【００７９】
いくつかの実施形態では、ＤＬ又はＵＬデータ送信のためのＤＭＲＳポートのサブセットが構成されることができ、ＤＭＲＳポートの構成されたサブセットのうちの１つにおいて、いくつかのＲＥがあり得る。ＰＴＲＳの制限された周波数領域は、ＤＭＲＳポートの構成されたサブセットのＲＥと同じであるか、又は含まれていてもよい。例えば、一実施形態では、ＤＭＲＳタイプ１及び／又はＤＭＲＳタイプ２の場合、ネットワークデバイス１１０は、上位レイヤシグナリングを介して、ＤＭＲＳポートのサブセット及び／又はＤＭＲＳ  ＣＤＭグループのサブセットで端末デバイス１２０を事前設定してもよい。この場合、ＰＴＲＳポートのために選択されたサブキャリアは、ＤＭＲＳポートのサブセット、及び／又はＤＭＲＳ  ＣＤＭグループのサブセットに対応するＲＥ内に制限されてもよい。
【００８０】
いくつかの実施形態では、端末デバイス１１０は、レートマッチングのために１つ又は複数の共同スケジューリングされるＤＬ  ＤＭＲＳ  ＣＤＭグループ（co-scheduled DL DMRS CDM group）が存在する可能性があるように構成されてもよい。この場合、ＰＴＲＳをマッピングするための選択されたサブキャリアは、構成された１つ又は複数のＣＤＭグループにより占有されたＲＥとオーバーラップされなくてもよい。図８は、このような実施形態の例を示す。例えば、一実施形態では、暗示的ＲＥオフセット（implicit RE offset）に基づいて選択されたサブキャリアが、レートマッチングのためのＲＥとオーバーラップされている場合、ＰＴＲＳマッピングのためのサブキャリアは、レートマッチングのためのＲＥとオーバーラップされていない最も近いＲＥにシフトされてもよい。具体的には、一実施形態では、ＰＴＲＳのためのサブキャリアのシフト中に、現在の位置（current position）から上位ＲＥ（an upper RE）への距離が下位ＲＥ（lower RE）への距離と同じである場合、上位ＲＥ又は下位ＲＥのいずれかは、シフトの目的位置（destination position）として使用することができる。一実施形態では、オーバーラップを回避するために、ＲＥオフセットを導出するための式に変数を含めることができる。
【００８１】
いくつかの実施形態では、１シンボルのフロントローディングされたＤＭＲＳの場合、フロントローディングされたＤＭＲＳのシンボル位置は、
【数７】
2021510241.tif 000012
として表され得る。追加のＤＭＲＳの数ｎは、０、１、２又は３であり得る。追加のＤＭＲＳの位置は、
【数８】
2021510241.tif 000013
として表されてもよく、ｉは、追加のＤＭＲＳのインデックスであり、０≦ｉ≦ｎ−１である。具体的には、追加のＤＭＲＳがない場合、
【数９】
2021510241.tif 000014
はない。ＰＴＲＳがある場合、ＰＴＲＳの時間密度は、１／Ｄとして表されてもよい。例えば、Ｄは、１、２又は４であり得る。最後のＰＤＳＣＨ又はＰＵＳＣＨシンボルの位置は、Ｌとして表されてもよい。いくつかの実施形態では、ＰＴＲＳは、時間領域におけるシンボルの異なる範囲に配置されてもよい。なお、シンボルのインデックスは、０から開始する。いくつかの実施形態では、範囲内のシンボルの数が、Ｄよりも少ない場合、範囲内にＰＴＲＳ送信がなくてもよい。
【００８２】
いくつかの実施形態では、追加のＤＭＲＳがない場合、シンボルの範囲は、フロントローディングされたＤＭＲＳシンボルｌ’の前のシンボルを含む第１の範囲、及びフロントローディングされたＤＭＲＳシンボルｌ’の後、最後のＰＤＳＣＨ又はＰＵＳＣＨシンボルＬまでのシンボルを含む第２の範囲を含んでもよい。一実施形態では、第１の範囲について、ｌ ｍｏｄ Ｄ＝０であり、０≦ｌ＜ｌ’である場合、ＰＴＲＳは、シンボルｌに存在してもよい。他の実施形態では、第１の範囲にＰＴＲＳ送信がなくてもよい。他の実施形態では、第２の範囲について、ｌ’＜ｌ≦Ｌであり、（ｌ−ｌ’） ｍｏｄ Ｄ＝０である場合、ＰＴＲＳは、シンボルｌに存在し得る。
【００８３】
いくつかの実施形態では、追加のＤＭＲＳが１つある場合、シンボルの範囲は、フロントローディングされたＤＭＲＳシンボルｌ’の前のシンボルを含む第１の範囲、追加のＤＭＲＳシンボル
【数１０】
2021510241.tif 000015
の前であるが、フロントローディングされたＤＭＲＳシンボルｌ’の後のシンボルを含む第２の範囲、及び追加のＤＭＲＳシンボル
【数１１】
2021510241.tif 000016
の後、最後のＰＤＳＣＨ又はＰＵＳＣＨシンボルＬまでのシンボルを含む第３の範囲を含んでもよい。一実施形態では、第１の範囲について、ｌ ｍｏｄ Ｄ＝０であり、０≦ｌ＜ｌ’である場合、ＰＴＲＳは、シンボルｌに存在し得る。他の実施形態では、第１の範囲には、ＰＴＲＳ送信がなくてもよい。他の実施形態では、第２の範囲について、（ｌ−ｌ’） ｍｏｄ Ｄ＝０であり、
【数１２】
2021510241.tif 000017
である場合、ＰＴＲＳは、シンボルｌに存在し得る。他の実施形態では、第３の範囲について、
【数１３】
2021510241.tif 000018
であり、
【数１４】
2021510241.tif 000019
である場合、ＰＴＲＳは、シンボルｌに存在し得る。
【００８４】
いくつかの実施形態では、２つの追加のＤＭＲＳがある場合、シンボルの範囲は、フロントローディングされたＤＭＲＳシンボルｌ’の前のシンボルを含む第１の範囲、第１の追加のＤＭＲＳシンボル
【数１５】
2021510241.tif 000020
の前であるが、フロントローディングされたＤＭＲＳシンボルｌ’の後のシンボルを含む第２の範囲、及び第２の追加のＤＭＲＳシンボル
【数１６】
2021510241.tif 000021
の前であるが、第１の追加のＤＭＲＳシンボル
【数１７】
2021510241.tif 000022
の後のシンボルを含む第３の範囲、及び第２の追加のＤＭＲＳシンボル
【数１８】
2021510241.tif 000023
の後、最後のＰＤＳＣＨ又はＰＵＳＣＨシンボルＬまでのシンボルを含む第４の範囲を含んでもよい。一実施形態では、第１の範囲について、ｌ ｍｏｄ Ｄ＝０であり、０≦ｌ＜ｌ’である場合、ＰＴＲＳは、シンボルｌに存在し得る。他の実施形態では、第１の範囲には、ＰＴＲＳ送信がなくてもよい。他の実施形態では、第２の範囲について、（ｌ−ｌ’） ｍｏｄ Ｄ＝０であり、
【数１９】
2021510241.tif 000024
である場合、ＰＴＲＳは、シンボルｌに存在し得る。他の実施形態では、第３の範囲について、
【数２０】
2021510241.tif 000025
であり、
【数２１】
2021510241.tif 000026
である場合、ＰＴＲＳは、シンボルｌに存在し得る。他の実施形態では、第４の範囲について、
【数２２】
2021510241.tif 000027
であり、
【数２３】
2021510241.tif 000028
である場合、ＰＴＲＳは、シンボルｌに存在し得る。
【００８５】
いくつかの実施形態では、３つの追加のＤＭＲＳが存在する場合、シンボルの範囲は、フロントローディングされたＤＭＲＳシンボルｌ’の前のシンボルを含む第１の範囲、第１の追加のＤＭＲＳシンボル
【数２４】
2021510241.tif 000029
の前であるが、フロントローディングされたＤＭＲＳシンボルｌ’よりも後のシンボルを含む第２の範囲、第２の追加のＤＭＲＳシンボル
【数２５】
2021510241.tif 000030
の前であるが、第１の追加のＤＭＲＳシンボル
【数２６】
2021510241.tif 000031
の後のシンボルを含む第３の範囲、第３の追加のＤＭＲＳシンボル
【数２７】
2021510241.tif 000032
の前であるが、第２の追加のＤＭＲＳシンボル
【数２８】
2021510241.tif 000033
の後のシンボルを含む第４の範囲、及び第３の追加のＤＭＲＳシンボル
【数２９】
2021510241.tif 000034
の後、最後のＰＤＳＣＨ又はＰＵＳＣＨシンボルＬまでのシンボルを含む第５の範囲を含み得る。一実施形態では、第１の範囲について、ｌ ｍｏｄ Ｄ＝０であり、０≦ｌ＜ｌ’である場合、ＰＴＲＳは、シンボルｌに存在し得る。他の実施形態では、第１の範囲にＰＴＲＳ送信がなくてもよい。他の実施形態では、第２の範囲について、（ｌ−ｌ’） ｍｏｄ Ｄ＝０であり、
【数３０】
2021510241.tif 000035
である場合、ＰＴＲＳは、シンボルｌに存在し得る。他の実施形態では、第３の範囲について、
【数３１】
2021510241.tif 000036
であり、
【数３２】
2021510241.tif 000037
である場合、ＰＴＲＳは、シンボルｌに存在し得る。他の実施形態では、第４の範囲について、
【数３３】
2021510241.tif 000038
であり、
【数３４】
2021510241.tif 000039
である場合、ＰＴＲＳは、シンボルｌに存在し得る。他の実施形態では、第５の範囲について、
【数３５】
2021510241.tif 000040
であり、
【数３６】
2021510241.tif 000041
である場合、ＰＴＲＳは、シンボルｌに存在し得る。
【００８６】
いくつかの実施形態では、２つのフロントローディングされたＤＭＲＳの場合、フロントローディングされたＤＭＲＳのシンボル位置は、
【数３７】
2021510241.tif 000042
として表されてもよい。ここで、ｊは、フロントローディングされたＤＭＲＳのシンボルのインデックスであり、ｊ＝０，１である。追加のＤＭＲＳの数ｎは、０、１であり得る。追加のＤＭＲＳの位置は、
【数３８】
2021510241.tif 000043
として表されてもよく、ここで、ｉは、追加のＤＭＲＳのシンボルのインデックスであり、ｉ＝０，１である。具体的には、追加のＤＭＲＳがない場合、
【数３９】
2021510241.tif 000044
はない。ＰＴＲＳが存在する場合、ＰＴＲＳの時間密度は、１／Ｄとして表され得る。例えば、Ｄは、１、２、又は４であり得る。最後のＰＤＳＣＨ又はＰＵＳＣＨシンボルの位置は、Ｌとして表され得る。いくつかの実施形態では、ＰＴＲＳは、時間領域においてシンボルの異なる範囲に配置されてもよい。なお、シンボルのインデックスは、０から開始する。いくつかの実施形態では、ある範囲内におけるシンボルの数がＤよりも少ない場合、範囲内にＰＴＲＳ送信がない場合があり得る。
【００８７】
いくつかの実施形態では、追加のＤＭＲＳがない場合、シンボルの範囲は、第１のフロントローディングされたＤＭＲＳシンボル
【数４０】
2021510241.tif 000045
の前のシンボルを含む第１の範囲、及び第２のフロントローディングされたＤＭＲＳシンボル
【数４１】
2021510241.tif 000046
の後、最後のＰＤＳＣＨ又はＰＵＳＣＨシンボルＬまでのシンボルを含む第２の範囲を含み得る。一実施形態では、第１の範囲について、ｌ ｍｏｄ Ｄ＝０であり、
【数４２】
2021510241.tif 000047
である場合、ＰＴＲＳは、シンボルｌに存在し得る。他の実施形態では、第１の範囲には、ＰＴＲＳ送信がなくてもよい。他の実施形態では、第２の範囲について、
【数４３】
2021510241.tif 000048
であり、
【数４４】
2021510241.tif 000049
である場合、ＰＴＲＳは、シンボルｌに存在し得る。
【００８８】
いくつかの実施形態では、１つの追加のＤＭＲＳがある場合、シンボルの範囲は、第１のフロントローディングされたＤＭＲＳシンボル
【数４５】
2021510241.tif 000050
の前のシンボルを含む第１の範囲、第１の追加のＤＭＲＳシンボル
【数４６】
2021510241.tif 000051
の前であるが、第２のフロントローディングされたＤＭＲＳシンボルｌ’の後のシンボルを含む第２の範囲、及び第２の追加のＤＭＲＳシンボル
【数４７】
2021510241.tif 000052
の後、最後のＰＤＳＣＨ又はＰＵＳＣＨシンボルＬまでのシンボルを含む第３の範囲を含み得る。一実施形態では、第１の範囲について、ｌ ｍｏｄ Ｄ＝０であり、
【数４８】
2021510241.tif 000053
である場合、ＰＴＲＳは、シンボルｌに存在し得る。他の実施形態では、第１の範囲にＰＴＲＳ送信がなくてもよい。他の実施形態では、第２の範囲について、
【数４９】
2021510241.tif 000054
であり、
【数５０】
2021510241.tif 000055
である場合、ＰＴＲＳは、シンボルｌに存在し得る。他の実施形態では、第３の範囲について、
【数５１】
2021510241.tif 000056
であり、
【数５２】
2021510241.tif 000057
である場合、ＰＴＲＳは、シンボルｌに存在し得る。
【００８９】
いくつかの実施形態では、ＰＴＲＳが存在し、ＰＴＲＳの時間密度が１／４であり、範囲内のシンボルの数が４よりも少ない場合、範囲内にＰＴＲＳ送信がなくてもよい。いくつかの実施形態では、ＰＴＲＳが存在し、ＰＴＲＳの時間密度が１／４であり、範囲内のシンボルの数が４、５、８、９、１２又は１３のいずれかである場合、時間領域におけるＰＴＲＳのための位置は、オフセットに関連付けられてもよい。例えば、ＰＴＲＳは、シンボルｌの直前の１つのシンボル（すなわち、シンボル
【数５３】
2021510241.tif 000058
）に存在してもよく、ここで、ｌは、上記の実施形態で決定されたシンボルである。例えば、
【数５４】
2021510241.tif 000059
であり、シンボルｍが以下のいずれかであり得る場合、ＰＴＲＳはシンボルｌに存在し得る：１シンボルのフロントローディングされたＤＭＲＳのための唯一のシンボル、２シンボルのフロントローディングされたＤＭＲＳのための第２のシンボル、１シンボルの追加のＤＭＲＳのための唯一のシンボル、又は２シンボルの追加のＤＭＲＳのための第２のシンボル。
【００９０】
いくつかの実施形態では、端末デバイスのために構成されたＤＭＲＳポートの数がＸよりも大きくなく、Ｘが整数であり、Ｘが１、２又は４のうちのいずれかである場合、ＰＴＲＳポートの数は、１つのみであり得る。いくつかの実施形態では、端末デバイスのために構成されたＤＭＲＳポートが１つのみのＣＤＭグループからのものである場合、端末デバイスのために構成されたＰＴＲＳポートの数は１つのみであり得る。いくつかの実施形態では、ＰＴＲＳポートの数が１より大きい場合、端末デバイスのために構成されたＤＭＲＳポートの数は、Ｘより大きくてもよい。例えば、Ｘは、１以上であり得る。いくつかの実施形態では、ＰＴＲＳポートの数が１より大きい場合、端末デバイスのために構成されたＤＭＲＳポートは、異なるＣＤＭグループからのものであり得る。例えば、構成されたＤＭＲＳポートは、ＤＭＲＳタイプ１の２つのＣＤＭグループからのものであり得る。例えば、構成されたＤＭＲＳポートは、ＤＭＲＳタイプ２の２つ又は３つのＣＤＭグループからのものであり得る。
【００９１】
図３に戻り、動作３２０において、ネットワークデバイス１１０は、端末デバイス１２０に第１の構成についての情報を送信する。いくつかの実施形態では、第１の構成についての情報は、ネットワークデバイス１１０による上位レイヤシグナリング及び／又は動的シグナリングを介して送信することができる。いくつかの実施形態では、端末デバイス１２０は、ＤＭＲＳ送信のための１つ又は複数のＤＭＲＳポートで構成され得る。この場合、第１の構成は、ＰＴＲＳポートと、１つ又は複数のＤＭＲＳポートのうちの１つとの間の関連付けを示すのみでもよい。いくつかの実施形態では、上述したＰＴＲＳポートの制限は、ネットワークデバイス１１０及び端末デバイス１２０の両方で予め構成することができる。すなわち、端末デバイス１２０は、ネットワークデバイス１１０から受信した情報、及び予め構成された制限に基づいて、時間及び周波数領域の両方における詳細なＰＴＲＳマッピングを決定することができる。したがって、ＰＴＲＳ構成を示すためのシグナリングオーバヘッドを低減することができる。
【００９２】
図９は、本開示のいくつかの実施形態にかかる例示的な方法９００のフローチャートを示す。方法９００は、図１に示す端末デバイス１２０で実施することができる。議論の目的のために、方法９００は、図１を参照して端末デバイス１２０の観点から説明される。
【００９３】
動作９１０において、端末デバイス１２０は、ネットワークデバイス１１０からＰＴＲＳを送信するための第１の構成についての情報を受信する。
【００９４】
動作９２０において、端末デバイス１２０は、少なくとも上記情報に基づいて、第１の構成を決定する。いくつかの実施形態では、第１の構成は、以下のうち少なくとも１つを示す：時間領域におけるＰＴＲＳの第１の密度、周波数領域におけるＰＴＲＳの第２の密度、時間領域におけるＰＴＲＳのための第１のリソース割り当て、及び周波数領域におけるＰＴＲＳのための第２のリソース割り当て。
【００９５】
いくつかの実施形態では、ＰＴＲＳは少なくとも１つのＤＭＲＳに関連付けられてもよく、上記情報は、第１の構成と、少なくとも１つのＤＭＲＳを送信するための所定の第２の構成との間の関連付けを示す。端末デバイス１２０は、上記情報及び所定の第２の構成に基づいて、第１の構成を決定してもよい。
【００９６】
いくつかの実施形態では、ＰＴＲＳポートの制限は、ネットワークデバイス１１０及び端末デバイス１２０の両方で予め構成されてもよい。端末デバイス１２０は、ネットワークデバイス１１０から受信された情報及び予め構成された制限に基づいて、時間及び周波数領域の両方におけるＰＴＲＳのためのリソース割り当てを決定し得る。
【００９７】
例えば、いくつかの実施形態では、少なくとも１つのＤＭＲＳは、フロントローディングされたＤＭＲＳと、いくつかの追加のＤＭＲＳとを含む。端末デバイス１２０は、以下の少なくとも１つに基づいて、少なくとも部分的に第１の密度のための候補密度のセットを決定し得る：追加のＤＭＲＳの数、フロントローディングされたＤＭＲＳを送信するためのシンボルの数、制御チャネル送信のためのシンボルの数、ＤＭＲＳポートの数、ＣＤＭグループの数、周波数範囲、及びサブキャリア間隔値。時間領域における第１の密度は、候補密度のセットから選択されてもよい。
【００９８】
いくつかの実施形態では、端末デバイス１２０は、少なくとも部分的に、シンボルの所定セット、所定の第２の構成、及び第１の密度に基づいて、時間領域における第１のリソース割り当てを決定してもよい。第１のリソース割り当ては、ＰＴＲＳを送信するためのシンボルの所定セットの少なくとも一部を示してもよい。
【００９９】
いくつかの実施形態では、端末デバイス１２０は、少なくとも部分的に、所定の又は構成された帯域幅に基づいて、周波数領域におけるＰＴＲＳの第２の密度を決定し得る。
【０１００】
いくつかの実施形態では、所定の又は構成された帯域幅は、ＲＢのセットに対応してもよい。ＰＴＲＳに関連付けられたＲＢのセット内のＲＢオフセットが決定され得る。端末デバイス１２０は、少なくとも部分的に、周波数領域におけるＰＴＲＳの第２の密度、ＲＢのセット、ＲＢオフセット、及び所定のタイプのリソース割り当てに基づいて、周波数領域における第２のリソース割り当てを決定し得る。第２のリソース割り当ては、ＰＴＲＳを送信するためのＲＢのセットの少なくとも一部を示してもよい。
【０１０１】
いくつかの実施形態では、シンボルの所定のセットは、異なる領域に分割されてもよい。端末デバイス１２０は、少なくとも部分的に、異なる領域に基づいて、周波数領域における第２のリソース割り当てを決定し得る。例えば、周波数領域における第２のリソース割り当ては、異なる領域においてＰＴＲＳを送信するためのそれぞれのＲＢを示してもよい。
【０１０２】
いくつかの実施形態では、ＰＴＲＳを含むＲＢのセットの少なくとも一部は、少なくとも１つのＲＢを含む。少なくとも１つのＲＢは、複数のＲＥを含む。少なくとも１つのＲＢ内のＲＥオフセットが決定されてもよい。端末デバイス１２０は、少なくとも部分的に、複数のＲＥ及びＲＥオフセットに基づいて、周波数領域における第２のリソース割り当てを決定してもよい。第２のリソース割り当ては、ＰＴＲＳを送信するための複数のＲＥの少なくとも一部をさらに示してもよい。
【０１０３】
いくつかの実施形態では、所定の第２の構成は、少なくとも１つのＤＭＲＳのタイプ及びＤＭＲＳ送信のためのＤＭＲＳポートのグループを示してもよい。端末デバイス１２０は、少なくとも部分的に、少なくとも１つのＤＭＲＳのタイプ及びＤＭＲＳ送信のためのＤＭＲＳポートのグループに基づいて、ＰＴＲＳのための第２のリソース割り当てを決定できる。
【０１０４】
図３〜図８を参照して上述したように、ＰＴＲＳ構成を制限するためのネットワークデバイス１１０に関連する動作及び特徴の少なくとも一部は、同様に方法９００に適用可能であり、同様の効果を有することは理解されるべきである。簡略化のため、詳細は省略する。
【０１０５】
図１０は、本開示の実施形態を実装（実施）するために適したデバイス１０００の簡略ブロック図である。デバイス１０００は、図１に示すように、ネットワークデバイス１１０又は端末デバイス１２０のさらなる例示的な実装と見なすことができる。したがって、デバイス１０００は、ネットワークデバイス１１０又は端末デバイス１２０において、又はネットワークデバイス１１０又は端末デバイス１２０の少なくとも一部として実装することができる。
【０１０６】
示すように、デバイス１０００は、プロセッサ１０１０、プロセッサ１０１０に結合されたメモリ１０２０、プロセッサ１０１０に結合された適切な送信機（ＴＸ）及び受信機（ＲＸ）１０４０、及びＴＸ／ＲＸ１０４０に結合された通信インタフェースを含む。メモリ１０１０は、プログラム１０３０の少なくとも一部を格納する。ＴＸ／ＲＸ１０４０は、双方向通信用である。実際には、本出願において言及されているアクセスノードは、複数のアンテナを有し得るが、ＴＸ／ＲＸ１０４０は、通信を容易にするための少なくとも１つのアンテナを有する。通信インタフェースは、ｅＮＢ間の双方向通信用のＸ２インタフェース、モビリティマネジメントエンティティ（ＭＭＥ：Mobility Management Entity）／サービングゲートウェイ（Ｓ−ＧＷ：Serving Gateway）とｅＮＢとの間の通信用のＳ１インタフェース、ｅＮＢと、中継ノード（ＲＮ：relay node）との間の通信用のＵｎインタフェース、又はｅＮＢと、端末デバイスとの間の通信用のＵｕインタフェース等の他のネットワークエレメントとの通信に必要な任意のインタフェースを表し得る。
【０１０７】
プログラム１０３０は、関連するプロセッサ１０１０によって実行される場合、デバイス１０００が、図１〜９を参照して明細書において議論してきたような、本開示の実施形態に従って動作することを可能にするプログラム命令を含むことが想定される。本明細書の実施形態は、デバイス１０００のプロセッサ１０１０により実行可能なコンピュータソフトウェアにより、又はハードウェアにより、又はソフトウェア及びハードウェアの組み合わせにより実装されてもよい。プロセッサ１０１０は、本開示の様々な実施形態を実装するように構成されてもよい。さらに、プロセッサ１０１０及びメモリ１０１０の組み合わせは、本開示の様々な実施形態を実装するように適合された処理手段１０５０を形成してもよい。
【０１０８】
メモリ１０１０は、ローカル技術ネットワーク（local technical network）に適した任意のタイプであってもよく、非限定的な例として、非一時的なコンピュータ可読媒体、半導体ベースのメモリデバイス、磁気メモリデバイス及びシステム、光メモリデバイス及びシステム、固定メモリ及び取り外し可能メモリ等の適切なデータストレージ技術を用いて実装されてもよい。デバイス１０００には、１つのメモリ１０１０のみが示されているが、デバイス１０００には、いくつかの物理的に異なるメモリモジュールがあってもよい。プロセッサ１０１０は、ローカル技術ネットワーク（local technical network）に適した任意のタイプであってもよく、非限定的な例として、汎用コンピュータ、専用コンピュータ、マイクロプロセッサ、デジタル信号プロセッサ（ＤＳＰ：digital signal processor）、及びマルチコアプロセッサアーキテクチャに基づくプロセッサのうちの１つ又は複数を含んでもよい。デバイス１０００は、メインプロセッサを同期させるクロックに時間的に追従する特定用途向け集積回路チップ（application specific integrated circuit chip）等の複数のプロセッサを有してもよい。
【０１０９】
一般に、本開示の様々な実施形態は、ハードウェア又は専用回路、ソフトウェア、ロジック又はそれらの任意の組み合わせで実装されてもよい。いくつかの態様は、ハードウェアで実装されてもよく、他の態様は、コントローラ、マイクロプロセッサ、又は他のコンピューティングデバイスにより実行され得るファームウェア又はソフトウェアで実装されてもよい。本開示の実施形態の様々な態様は、ブロック図、フローチャートとして、又はいくつかの他の図的表現を使用して図示及び説明されるが、本明細書に記載されたブロック、装置、システム、技術又は方法は、非限定的な例として、ハードウェア、ソフトウェア、ファームウェア、専用回路、又はロジック、汎用ハードウェア、又はコントローラ、又は他のコンピューティングデバイス、又はそれらのいくつかの組み合わせで実装されてもよいことは理解されよう。
【０１１０】
本開示はまた、非一時的なコンピュータ可読記憶媒体に有形に記憶された少なくとも１つのコンピュータプログラム製品を提供する。コンピュータプログラム製品は、プログラムモジュールに含まれるもの等、ターゲットの実プロセッサ又は仮想プロセッサ上のデバイスで実行され、図１〜９のいずれかを参照して上述したプロセス又は方法を実行するためのコンピュータ実行可能命令を含む。一般に、プログラムモジュールは、特定のタスクを実行したり特定の抽象データ型を実装したりするルーチン、プログラム、ライブラリ、オブジェクト、クラス、コンポーネント、データ構造等を含む。プログラムモジュールの機能は、様々な実施形態で望まれるように、プログラムモジュール間を組み合わせるか、又は分割されてもよい。プログラムモジュール用のマシン実行可能命令は、ローカルデバイス又は分散デバイス内で実行されてもよい。分散デバイスでは、プログラムモジュールはローカル及びリモートの両方のストレージメディアに配置されてもよい。
【０１１１】
本開示の方法を実行するためのプログラムコードは、１つ又は複数のプログラム言語の任意の組み合わせで書かれてもよい。プロセッサ又はコントローラにより実行される場合、プログラムコードが、フローチャート及び／又はブロック図で指定された機能／動作が実施させるように、これらのプログラムコードは、プロセッサ、又は汎用コンピュータ、専用コンピュータ、又は他のプログラム可能なデータ処理装置のコントローラに提供され得る。プログラムコードは、一部マシンで、一部リモートマシンにおいて、又は完全にリモートマシン又はサーバーにおいて、スタンドアロンのソフトウェアパッケージとして、一部のマシンで、全てがマシンにおいて実行されてもよい。
【０１１２】
上記のプログラムコードは、命令実行システム、装置又はデバイスにより、又は命令実行システム、装置又はデバイスと関連して使用するためのプログラムを含むか、又は記憶され得る任意の有形媒体（tangible medium）であり得るマシン可読媒体において具体化されてもよい。マシン可読媒体は、マシン可読信号媒体又はマシン可読記憶媒体であってもよい。マシン可読媒体は、電子、磁気、工学、電磁気、赤外線又は半導体のシステム、装置又はデバイス、あるいは上記の任意の適切な組み合わせを含むがこれに限定されるものではない。マシン可読記憶媒体のより具体的な例には、１つ又は複数のワイヤ（wire）を備える電気接続、ポータブルコンピュータディスケット、ハードディスク、ランダムアクセスメモリ（ＲＡＭ：random access memory）、リードオンリメモリ（ＲＯＭ：read-only memory）、イレーサブルプログラム可能なリードオンリメモリ（ＥＰＲＯＭ：erasable programmable read-only memory又はフラッシュメモリ）、光ファイバ、ポータブルコンパクトディスクリードオンリメモリ（ＣＤ−ＲＯＭ：compact disc read-only memory）、光学式ストレージデバイス、磁気ストレージデバイス、又は上記の任意の適切な組み合わせを含む。
【０１１３】
さらに、動作は特定の順序で示されているが、望ましい結果を達成するために、このような動作は、特定の順序で、又はシーケンシャルな順序で実行されること、又はすべての図示された動作が実行されることを要求するものとして理解されるべきではない。特定の状況では、マルチタスク及び並列処理が有利であり得る。同様に、いくつかの特定の実装（実施）の詳細が上記の議論に含まれているが、これらは、本開示のスコープに対する限定として解釈されるべきではなく、むしろ、特定の実施形態に特有であり得る特徴の説明として解釈されるべきである。別々の実施形態の文脈で説明されている特定の特徴は、単一の実施形態で組み合わせて実装することもできる。逆に、単一の実施形態の文脈で説明されている様々な特徴は、複数の実施形態で別々に、又は任意の適切なサブコンビネーションで実装することもできる。
【０１１４】
本開示は、構造的特徴及び／又は方法論的動作（act）に特有の言語で説明されてきたが、添付の特許請求の範囲で定義される本開示は、必ずしも上述された特定の特徴又は動作に限定されないことは理解されるべきである。むしろ、上述した特定の特徴又は動作（act）は、特許請求の範囲を実施する例示的な形態として開示される。
【図１】
2021510241.tif 000060
【図２】
2021510241.tif 000061
【図３】
2021510241.tif 000062
【図４Ａ】
2021510241.tif 000063
【図４Ｂ】
2021510241.tif 000064
【図４Ｃ】
2021510241.tif 000065
【図５Ａ】
2021510241.tif 000066
【図５Ｂ】
2021510241.tif 000067
【図６Ａ】
2021510241.tif 000068
【図６Ｂ】
2021510241.tif 000069
【図６Ｃ】
2021510241.tif 000070
【図６Ｄ】
2021510241.tif 000071
【図７Ａ】
2021510241.tif 000072
【図７Ｂ】
2021510241.tif 000073
【図８】
2021510241.tif 000074
【図９】
2021510241.tif 000075
【図１０】
2021510241.tif 000076
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
RE(Resource Element)オフセットを、ネットワーク装置からRRC(Radio Resource Control)レイヤシグナリングで受信し、
DMRS(DeModulation Reference Signal) configuration typeと前記REオフセットとに基づいて、各PTRS(Phase Tracking Reference Signal)を、各PTRSポートに関連する各DMRSポートの各サブキャリアに、マッピングし、
前記各サブキャリアにマッピングされた前記各PTRSを、前記ネットワーク装置に送信する、
端末であって、
前記DMRS configuration typeは、DMRS configuration type 1か、DMRS configuration type 2か、のいずれかであり、
前記DMRS configuration type 1は、前記各DMRSポートが属するCDM(Code Division Multiplexing)グループを2つサポートし、
前記DMRS configuration type 2は、前記各DMRSポートが属するCDMグループを3つサポートし、
前記DMRS configuration typeが、前記DMRS configuration 1である場合であって、
前記各DMRSポートがCDMグループ0に属する場合、
前記各PTRSは、{0, 2, 4, 6, 8, 10}のうちのいずれかのサブキャリアにマッピングされ、
前記REオフセットは、{0, 2, 4, 6, 8, 10}のうちどのサブキャリアにマッピングするかの選択に用いられ、
前記各DMRS ポートがCDMグループ1に属する場合、
前記各PTRSは、{1, 3, 5, 7, 9 ,11}のうちのいずれかのサブキャリアにマッピングされ、
前記REオフセットは、{1, 3, 5, 7, 9 ,11}のうちどのサブキャリアにマッピングするかの選択に用いられ、
前記DMRS configuration typeが、前記DMRS configuration 2である場合であって、
前記各DMRS ポートがCDMグループ0に属する場合、
前記各PTRSは、{0, 1, 6 ,7}のうちのいずれかのサブキャリアにマッピングされ、
前記REオフセットは、{0, 1, 6 ,7}のうちどのサブキャリアにマッピングするかの選択に用いられ、
前記各DMRSポートがCDMグループ1に属する場合、
前記各PTRSは、{2, 3, 8, 9}のうちのいずれかのサブキャリアにマッピングされ、
前記REオフセットは、{2, 3, 8, 9}のうちどのサブキャリアにマッピングするかの選択に用いられ、
前記各DMRS ポートがCDMグループ2に属する場合、
前記各PTRSは、{4, 5, 10, 11}のうちのいずれかのサブキャリアにマッピングされ、
前記REオフセットは、{4, 5, 10, 11}のうちどのサブキャリアにマッピングするかの選択に用いられる、
端末。
【請求項２】
RE(Resource Element)オフセットを、ネットワーク装置からRRC(Radio Resource Control)レイヤシグナリングで受信し、
各PTRS(Phase Tracking Reference Signal)を、前記ネットワーク装置から受信し、
DMRS(DeModulation Reference Signal) configuration typeと前記REオフセットとに基づいて、各PTRSポートに関連する各DMRSポートの各サブキャリアにマッピングされた前記各PTRSを検出する、
端末であって、
前記DMRS configuration typeは、DMRS configuration type 1か、DMRS configuration type 2か、のいずれかであり、
前記DMRS configuration type 1は、前記各DMRSポートが属するCDM(Code Division Multiplexing)グループを2つサポートし、
前記DMRS configuration type 2は、前記各DMRSポートが属するCDMグループを3つサポートし、
前記DMRS configuration typeが、前記DMRS configuration 1である場合であって、
前記各DMRSポートがCDMグループ0に属する場合、
前記各PTRSは、{0, 2, 4, 6, 8, 10}のうちのいずれかのサブキャリアにマッピングされ、
前記REオフセットは、{0, 2, 4, 6, 8, 10}のうちどのサブキャリアにマッピングするかの選択に用いられ、
前記各DMRSポートがCDMグループ1に属する場合、
前記各PTRSは、{1, 3, 5, 7, 9 ,11}のうちのいずれかのサブキャリアにマッピングされ、
前記REオフセットは、{1, 3, 5, 7, 9 ,11}のうちどのサブキャリアにマッピングするかの選択に用いられる、
端末。
【請求項３】
前記DMRS configuration typeが、前記DMRS configuration 2である場合であって、
前記各DMRS ポートがCDMグループ0に属する場合、
前記各PTRSは、{0, 1, 6 ,7}のうちのいずれかのサブキャリアにマッピングされ、
前記REオフセットは、{0, 1, 6 ,7}のうちどのサブキャリアにマッピングするかの選択に用いられ、
前記各DMRSポートがCDMグループ1に属する場合、
前記各PTRSは、{2, 3, 8, 9}のうちのいずれかのサブキャリアにマッピングされ、
前記REオフセットは、{2, 3, 8, 9} のうちどのサブキャリアにマッピングするかの選択に用いられ、
前記各DMRSポートがCDMグループ2に属する場合、
前記各PTRSは、{4, 5, 10, 11}のうちのいずれかのサブキャリアにマッピングされ、
前記REオフセットは、{4, 5, 10, 11}のうちどのサブキャリアにマッピングするかの選択に用いられる、
請求項２に記載の端末。
【請求項４】
RE(Resource Element)オフセットを、端末にRRC(Radio Resource Control)レイヤシグナリングで送信し、
各PTRS(Phase Tracking Reference Signal)を、前記端末から受信し、
DMRS(DeModulation Reference Signal) configuration typeと前記REオフセットとに基づいて、各PTRSポートに関連する各DMRSポートの各サブキャリアにマッピングされた前記各PTRSを検出する、
ネットワーク装置であって、
前記DMRS configuration typeは、DMRS configuration type 1か、DMRS configuration type 2か、のいずれかであり、
前記DMRS configuration type 1は、前記各DMRSポートが属するCDM(Code Division Multiplexing)グループを2つサポートし、
前記DMRS configuration type 2は、前記各DMRSポートが属するCDMグループを3つサポートし、
前記DMRS configuration typeが、前記DMRS configuration 1である場合であって、
前記各DMRSポートがCDMグループ0に属する場合、
前記各PTRSは、{0, 2, 4, 6, 8, 10}のうちのいずれかのサブキャリアにマッピングされ、
前記REオフセットは、{0, 2, 4, 6, 8, 10}のうちどのサブキャリアにマッピングするかの選択に用いられ、
前記各DMRSポートがCDMグループ1に属する場合、
前記各PTRSは、{1, 3, 5, 7, 9 ,11}のうちのいずれかのサブキャリアにマッピングされ、
前記REオフセットは、{1, 3, 5, 7, 9 ,11}のうちどのサブキャリアにマッピングするかの選択に用いられ、
前記DMRS configuration typeが、前記DMRS configuration 2である場合であって、
前記各DMRSポートがCDMグループ0に属する場合、
前記各PTRSは、{0, 1, 6 ,7}のうちのいずれかのサブキャリアにマッピングされ、
前記REオフセットは、{0, 1, 6 ,7}のうちどのサブキャリアにマッピングするかの選択に用いられ、
前記各DMRSポートがCDMグループ1に属する場合、
前記各PTRSは、{2, 3, 8, 9}のうちのいずれかのサブキャリアにマッピングされ、
前記REオフセットは、{2, 3, 8, 9}のうちどのサブキャリアにマッピングするかの選択に用いられ、
前記各DMRSポートがCDMグループ2に属する場合、
前記各PTRSは、{4, 5, 10, 11}のうちのいずれかのサブキャリアにマッピングされ、
前記REオフセットは、{4, 5, 10, 11}のうちどのサブキャリアにマッピングするかの選択に用いられる、
ネットワーク装置。
【請求項５】
RE(Resource Element)オフセットを、端末にRRC(Radio Resource Control)レイヤシグナリングで送信し、
DMRS(DeModulation Reference Signal) configuration typeと前記REオフセットとに基づいて、各PTRS(Phase Tracking Reference Signal)を、各PTRSポートに関連する各DMRSポートの各サブキャリアに、マッピングし、
前記各サブキャリアにマッピングされた前記各PTRSを、前記端末に送信する、
ネットワーク装置であって、
前記DMRS configuration typeは、DMRS configuration type 1か、DMRS configuration type 2か、のいずれかであり、
前記DMRS configuration type 1は、前記各DMRSポートが属するCDM(Code Division Multiplexing)グループを2つサポートし、
前記DMRS configuration type 2は、前記各DMRSポートが属するCDMグループを3つサポートし、
前記DMRS configuration typeが、前記DMRS configuration 1である場合であって、
前記各DMRSポートがCDMグループ0に属する場合、
前記各PTRSは、{0, 2, 4, 6, 8, 10}のうちのいずれかのサブキャリアにマッピングされ、
前記REオフセットは、{0, 2, 4, 6, 8, 10}のうちどのサブキャリアにマッピングするかの選択に用いられ、
前記各DMRSポートがCDMグループ1に属する場合、
前記各PTRSは、{1, 3, 5, 7, 9 ,11}のうちのいずれかのサブキャリアにマッピングされ、
前記REオフセットは、{1, 3, 5, 7, 9 ,11}のうちどのサブキャリアにマッピングするかの選択に用いられる、
ネットワーク装置。
【請求項６】
前記DMRS configuration typeが、前記DMRS configuration 2である場合であって、
前記各DMRSポートがCDMグループ0に属する場合、
前記各PTRSは、{0, 1, 6 ,7}のうちのいずれかのサブキャリアにマッピングされ、
前記REオフセットは、{0, 1, 6 ,7}のうちどのサブキャリアにマッピングするかの選択に用いられ、
前記各DMRSポートがCDMグループ1に属する場合、
前記各PTRSは、{2, 3, 8, 9}のうちのいずれかのサブキャリアにマッピングされ、
前記REオフセットは、{2, 3, 8, 9}のうちどのサブキャリアにマッピングするかの選択に用いられ、
前記各DMRSポートがCDMグループ2に属する場合、
前記各PTRSは、{4, 5, 10, 11}のうちのいずれかのサブキャリアにマッピングされ、
前記REオフセットは、{4, 5, 10, 11}のうちどのサブキャリアにマッピングするかの選択に用いられる、
請求項５に記載のネットワーク装置。
【請求項７】
RE(Resource Element)オフセットを、RRC(Radio Resource Control)レイヤシグナリングで受信し、
DMRS(DeModulation Reference Signal) configuration typeと前記REオフセットとに基づいて、各PTRS(Phase Tracking Reference Signal)を、各PTRSポートに関連する各DMRSポートの各サブキャリアに、マッピングし、
前記各サブキャリアにマッピングされた前記各PTRSを、送信する、
方法であって、
前記DMRS configuration typeは、DMRS configuration type 1か、DMRS configuration type 2か、のいずれかであり、
前記DMRS configuration type 1は、前記各DMRSポートが属するCDM (Code Division Multiplexing) グループを2つサポートし、
前記DMRS configuration type 2は、前記各DMRSポートが属するCDMグループを3つサポートし、
前記DMRS configuration typeが、前記DMRS configuration 1である場合であって、
前記各DMRSポートがCDMグループ0に属する場合、
前記各PTRSは、{0, 2, 4, 6, 8, 10}のうちのいずれかのサブキャリアにマッピングされ、
前記REオフセットは、{0, 2, 4, 6, 8, 10}のうちどのサブキャリアにマッピングするかの選択に用いられ、
前記各DMRSポートがCDMグループ1に属する場合、
前記各PTRSは、{1, 3, 5, 7, 9 ,11}のうちのいずれかのサブキャリアにマッピングされ、
前記REオフセットは、{1, 3, 5, 7, 9 ,11}のうちどのサブキャリアにマッピングするかの選択に用いられ、
前記DMRS configuration typeが、前記DMRS configuration 2である場合であって、
前記各DMRSポートがCDMグループ0に属する場合、
前記各PTRSは、{0, 1, 6 ,7}のうちのいずれかのサブキャリアにマッピングされ、
前記REオフセットは、{0, 1, 6 ,7}のうちどのサブキャリアにマッピングするかの選択に用いられ、
前記各DMRSポートがCDMグループ1に属する場合、
前記各PTRSは、{2, 3, 8, 9}のうちのいずれかのサブキャリアにマッピングされ、
前記REオフセットは、{2, 3, 8, 9}のうちどのサブキャリアにマッピングするかの選択に用いられ、
前記各DMRSポートがCDMグループ2に属する場合、
前記各PTRSは、{4, 5, 10, 11}のうちのいずれかのサブキャリアにマッピングされ、
前記REオフセットは、{4, 5, 10, 11}のうちどのサブキャリアにマッピングするかの選択に用いられる、
方法。
【請求項８】
RE(Resource Element)オフセットを、RRC(Radio Resource Control)レイヤシグナリングで受信し、
各PTRS(Phase Tracking Reference Signal)を、受信し、
DMRS(DeModulation Reference Signal) configuration typeと前記REオフセットとに基づいて、各PTRSポートに関連する各DMRSポートの各サブキャリアにマッピングされた前記各PTRSを検出する、
方法であって、
前記DMRS configuration typeは、DMRS configuration type 1か、DMRS configuration type 2か、のいずれかであり、
前記DMRS configuration type 1は、前記各DMRSポートが属するCDM(Code Division Multiplexing)グループを2つサポートし、
前記DMRS configuration type 2は、前記各DMRSポートが属するCDMグループを3つサポートし、
前記DMRS configuration typeが、前記DMRS configuration 1である場合であって、
前記各DMRSポートがCDMグループ0に属する場合、
前記各PTRSは、{0, 2, 4, 6, 8, 10}のうちのいずれかのサブキャリアにマッピングされ、
前記REオフセットは、{0, 2, 4, 6, 8, 10}のうちどのサブキャリアにマッピングするかの選択に用いられ、
前記各DMRSポートがCDMグループ1に属する場合、
前記各PTRSは、{1, 3, 5, 7, 9 ,11}のうちのいずれかのサブキャリアにマッピングされ、
前記REオフセットは、{1, 3, 5, 7, 9 ,11}のうちどのサブキャリアにマッピングするかの選択に用いられる、
方法。
【請求項９】
前記DMRS configuration typeが、前記DMRS configuration 2である場合であって、
前記各DMRSポートがCDMグループ0に属する場合、
前記各PTRSは、{0, 1, 6 ,7}のうちのいずれかのサブキャリアにマッピングされ、
前記REオフセットは、{0, 1, 6 ,7}のうちどのサブキャリアにマッピングするかの選択に用いられ、
前記各DMRSポートがCDMグループ1に属する場合、
前記各PTRSは、{2, 3, 8, 9}のうちのいずれかのサブキャリアにマッピングされ、
前記REオフセットは、{2, 3, 8, 9}のうちどのサブキャリアにマッピングするかの選択に用いられ、
前記各DMRSポートがCDMグループ2に属する場合、
前記各PTRSは、{4, 5, 10, 11}のうちのいずれかのサブキャリアにマッピングされ、
前記REオフセットは、{4, 5, 10, 11}のうちどのサブキャリアにマッピングするかの選択に用いられる、
請求項８に記載の方法。
【請求項１０】
RE(Resource Element)オフセットを、RRC(Radio Resource Control)レイヤシグナリングで送信し、
各PTRS(Phase Tracking Reference Signal)を、受信し、
DMRS(DeModulation Reference Signal) configuration typeと前記REオフセットとに基づいて、各PTRSポートに関連する各DMRSポートの各サブキャリアにマッピングされた前記各PTRSを検出する、
方法であって、
前記DMRS configuration typeは、DMRS configuration type 1か、DMRS configuration type 2か、のいずれかであり、
前記DMRS configuration type 1は、前記各DMRSポートが属するCDM(Code Division Multiplexing)グループを2つサポートし、
前記DMRS configuration type 2は、前記各DMRSポートが属するCDMグループを3つサポートし、
前記DMRS configuration typeが、前記DMRS configuration 1である場合であって、
前記各DMRSポートがCDMグループ0に属する場合、
前記各PTRSは、{0, 2, 4, 6, 8, 10}のうちのいずれかのサブキャリアにマッピングされ、
前記REオフセットは、{0, 2, 4, 6, 8, 10}のうちどのサブキャリアにマッピングするかの選択に用いられ、
前記各DMRSポートがCDMグループ1に属する場合、
前記各PTRSは、{1, 3, 5, 7, 9 ,11}のうちのいずれかのサブキャリアにマッピングされ、
前記REオフセットは、{1, 3, 5, 7, 9 ,11}のうちどのサブキャリアにマッピングするかの選択に用いられ、
前記DMRS configuration typeが、前記DMRS configuration 2である場合であって、
前記各DMRSポートがCDMグループ0に属する場合、
前記各PTRSは、{0, 1, 6 ,7}のうちのいずれかのサブキャリアにマッピングされ、
前記REオフセットは、{0, 1, 6 ,7}のうちどのサブキャリアにマッピングするかの選択に用いられ、
前記各DMRSポートがCDMグループ1に属する場合、
前記各PTRSは、{2, 3, 8, 9}のうちのいずれかのサブキャリアにマッピングされ、
前記REオフセットは、{2, 3, 8, 9}のうちどのサブキャリアにマッピングするかの選択に用いられ、
前記各DMRSポートがCDMグループ2に属する場合、
前記各PTRSは、{4, 5, 10, 11}のうちのいずれかのサブキャリアにマッピングされ、
前記REオフセットは、{4, 5, 10, 11}のうちどのサブキャリアにマッピングするかの選択に用いられる、
方法。
【請求項１１】
RE(Resource Element)オフセットを、RRC(Radio Resource Control)レイヤシグナリングで送信し、
DMRS(DeModulation Reference Signal) configuration typeと前記REオフセットとに基づいて、各PTRS(Phase Tracking Reference Signal)を、各PTRSポートに関連する各DMRSポートの各サブキャリアに、マッピングし、
前記各サブキャリアにマッピングされた前記各PTRSを、送信する、
方法であって、
前記DMRS configuration typeは、DMRS configuration type 1か、DMRS configuration type 2か、のいずれかであり、
前記DMRS configuration type 1は、前記各DMRSポートが属するCDM(Code Division Multiplexing)グループを2つサポートし、
前記DMRS configuration type 2は、前記各DMRSポートが属するCDMグループを3つサポートし、
前記DMRS configuration typeが、前記DMRS configuration 1である場合であって、
前記各DMRSポートがCDMグループ0に属する場合、
前記各PTRSは、{0, 2, 4, 6, 8, 10}のうちのいずれかのサブキャリアにマッピングされ、
前記REオフセットは、{0, 2, 4, 6, 8, 10}のうちどのサブキャリアにマッピングするかの選択に用いられ、
前記各DMRSポートがCDMグループ1に属する場合、
前記各PTRSは、{1, 3, 5, 7, 9 ,11}のうちのいずれかのサブキャリアにマッピングされ、
前記REオフセットは、{1, 3, 5, 7, 9 ,11}のうちどのサブキャリアにマッピングするかの選択に用いられる、
方法。
【請求項１２】
前記DMRS configuration typeが、前記DMRS configuration 2である場合であって、
前記各DMRSポートがCDMグループ0に属する場合、
前記各PTRSは、{0, 1, 6 ,7}のうちのいずれかのサブキャリアにマッピングされ、
前記REオフセットは、{0, 1, 6 ,7}のうちどのサブキャリアにマッピングするかの選択に用いられ、
前記各DMRSポートがCDMグループ1に属する場合、
前記各PTRSは、{2, 3, 8, 9}のうちのいずれかのサブキャリアにマッピングされ、
前記REオフセットは、{2, 3, 8, 9}のうちどのサブキャリアにマッピングするかの選択に用いられ、
前記各DMRSポートがCDMグループ2に属する場合、
前記各PTRSは、{4, 5, 10, 11}のうちのいずれかのサブキャリアにマッピングされ、
前記REオフセットは、{4, 5, 10, 11}のうちどのサブキャリアにマッピングするかの選択に用いられる、
請求項１１に記載の方法。
【手続補正３】
【補正対象書類名】明細書
【補正対象項目名】００４３
【補正方法】変更
【補正の内容】
【００４３】
図２に示すように、プロセス２１０は、ＤＬ  ＰＴＲＳ送信の場合に向けられている。一実施形態では、ネットワークデバイス１１０は、端末デバイス１２０にＰＴＲＳ構成を示してもよい（２１１）。例えば、ＰＴＲＳ構成は、ＰＴＲＳ送信のためのＰＴＲＳポートがＤＭＲＳポートに関連付けられていることを示してもよい。ネットワークデバイス１１０は、ＰＴＲＳ構成に基づいて、ＰＴＲＳを送信してもよい（２１２）。端末デバイス１２０は、ネットワークデバイス１１０からＰＴＲＳ構成を受信してもよく、位相ノイズを補償するために、受信されたＰＴＲＳ構成に基づいて、ＰＴＲＳを検出してもよい。プロセス２２０は、ＵＬ  ＲＳ送信の場合に向けられている。他の実施形態では、ネットワークデバイス１１０は、端末デバイス１２０にＰＴＲＳ構成を示してもよい（２２１）。例えば、ＰＴＲＳ構成は、ＰＴＲＳ送信ためのＰＴＲＳポートがＤＭＲＳポートに関連付けられていることを示してもよい。端末デバイス１２０は、ＰＴＲＳ構成をネットワークデバイス１１０から受信してもよく、受信されたＰＴＲＳ構成に基づいてＰＴＲＳを送信してもよい（２２２）。ネットワークデバイス１１０は、位相ノイズを補償するために、ＰＴＲＳ構成に基づいてＰＴＲＳを検出してもよい。
【手続補正４】
【補正対象書類名】明細書
【補正対象項目名】００８０
【補正方法】変更
【補正の内容】
【００８０】
いくつかの実施形態では、端末デバイス１２０は、レートマッチングのために１つ又は複数の共同スケジューリングされるＤＬ  ＤＭＲＳ  ＣＤＭグループ（co-scheduled DL DMRS CDM group）が存在する可能性があるように構成されてもよい。この場合、ＰＴＲＳをマッピングするための選択されたサブキャリアは、構成された１つ又は複数のＣＤＭグループにより占有されたＲＥとオーバーラップされなくてもよい。図８は、このような実施形態の例を示す。例えば、一実施形態では、暗示的ＲＥオフセット（implicit RE offset）に基づいて選択されたサブキャリアが、レートマッチングのためのＲＥとオーバーラップされている場合、ＰＴＲＳマッピングのためのサブキャリアは、レートマッチングのためのＲＥとオーバーラップされていない最も近いＲＥにシフトされてもよい。具体的には、一実施形態では、ＰＴＲＳのためのサブキャリアのシフト中に、現在の位置（current position）から上位ＲＥ（an upper RE）への距離が下位ＲＥ（lower RE）への距離と同じである場合、上位ＲＥ又は下位ＲＥのいずれかは、シフトの目的位置（destination position）として使用することができる。一実施形態では、オーバーラップを回避するために、ＲＥオフセットを導出するための式に変数を含めることができる。
【手続補正５】
【補正対象書類名】明細書
【補正対象項目名】０１０６
【補正方法】変更
【補正の内容】
【０１０６】
示すように、デバイス１０００は、プロセッサ１０１０、プロセッサ１０１０に結合されたメモリ１０２０、プロセッサ１０１０に結合された適切な送信機（ＴＸ）及び受信機（ＲＸ）１０４０、及びＴＸ／ＲＸ１０４０に結合された通信インタフェースを含む。メモリ１０２０は、プログラム１０３０の少なくとも一部を格納する。ＴＸ／ＲＸ１０４０は、双方向通信用である。実際には、本出願において言及されているアクセスノードは、複数のアンテナを有し得るが、ＴＸ／ＲＸ１０４０は、通信を容易にするための少なくとも１つのアンテナを有する。通信インタフェースは、ｅＮＢ間の双方向通信用のＸ２インタフェース、モビリティマネジメントエンティティ（ＭＭＥ：Mobility Management Entity）／サービングゲートウェイ（Ｓ−ＧＷ：Serving Gateway）とｅＮＢとの間の通信用のＳ１インタフェース、ｅＮＢと、中継ノード（ＲＮ：relay node）との間の通信用のＵｎインタフェース、又はｅＮＢと、端末デバイスとの間の通信用のＵｕインタフェース等の他のネットワークエレメントとの通信に必要な任意のインタフェースを表し得る。
【国際調査報告】
2021510241.tif 000077
2021510241.tif 000078